(57)【要約】  本発明は、ランダムアクセス方法、端末デバイス及びネットワークデバイスを提供する。前記方法は、アンライセンスバンドに適用され、端末デバイスがリッスンビフォアトーク（ＬＢＴ）の方式によってターゲットアップリンク帯域幅部分（ＢＷＰ）を決定するステップと、前記端末デバイスが前記ターゲットアップリンクＢＷＰでランダムアクセスプロセスを開始するステップと、を含む。本発明の実施例において、前記端末デバイスは、ＬＢＴの方式によってターゲットアップリンクＢＷＰを決定し、前記ターゲットアップリンクＢＷＰでランダムアクセスプロセスを開始し、これにより、アンライセンスバンドでのアクセスを実現することができる。
2021534617.tif 000002
【特許請求の範囲】
【請求項１】
アンライセンスバンドに適用され、
端末デバイスがリッスンビフォアトーク（ＬＢＴ）の方式によってターゲットアップリンク帯域幅部分（ＢＷＰ）を決定するステップと、
前記端末デバイスが前記ターゲットアップリンクＢＷＰでランダムアクセスプロセスを開始するステップと、を含む
ことを特徴とするランダムアクセス方法。
【請求項２】
前記端末デバイスが現在アクティブ化されているダウンリンクＢＷＰを、前記ターゲットアップリンクＢＷＰと同じインデックスを有するダウンリンクＢＷＰに切り替えるステップをさらに含む
ことを特徴とする請求項１に記載のランダムアクセス方法。
【請求項３】
前記端末デバイスがリッスンビフォアトーク（ＬＢＴ）の方式によってターゲットアップリンク帯域幅部分（ＢＷＰ）を決定するステップは、
前記端末デバイスが現在アクティブ化されている第１のアップリンクＢＷＰでＬＢＴを実行して成功した場合、前記第１のアップリンクＢＷＰを前記ターゲットＢＷＰとして決定するステップを含み、
前記第１のＢＷＰには競合ベースランダムアクセスリソースが構成され、及び／又は前記第１のＢＷＰには非競合ベースランダムアクセスリソースが構成されている
ことを特徴とする請求項１又は２に記載のランダムアクセス方法。
【請求項４】
前記端末デバイスが前記ターゲットアップリンクＢＷＰでランダムアクセスプロセスを開始するステップは、
前記端末デバイスが前記ターゲットアップリンクＢＷＰで競合ベースランダムアクセスプロセスを開始するステップを含む
ことを特徴とする請求項１〜３のいずれか１項に記載のランダムアクセス方法。
【請求項５】
前記端末デバイスが現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替えるステップと、
前記端末デバイスが前記第２のＢＷＰでＬＢＴを実行して成功した場合、前記第２のＢＷＰを前記ターゲットＢＷＰとして決定するステップと、をさらに含み、
前記第２のＢＷＰはネットワークデバイスにより構成されたアップリンクＢＷＰである
ことを特徴とする請求項４に記載のランダムアクセス方法。
【請求項６】
前記第２のアップリンクＢＷＰには競合ベースランダムアクセスリソースが構成されている
ことを特徴とする請求項５に記載のランダムアクセス方法。
【請求項７】
前記端末デバイスが現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替えるステップは、
前記端末デバイスが現在アクティブ化されている第１のアップリンクＢＷＰでＬＢＴを実行し、且つ失敗回数が第１の閾値以上の場合、現在アクティブ化されているアップリンクＢＷＰを前記第１のアップリンクＢＷＰから前記第２のアップリンクＢＷＰに切り替えるステップを含む
ことを特徴とする請求項５又は６に記載のランダムアクセス方法。
【請求項８】
前記第１の閾値は予め設定された閾値であるか、又は前記第１の閾値は前記ネットワークデバイスにより構成された閾値である
ことを特徴とする請求項７に記載のランダムアクセス方法。
【請求項９】
前記端末デバイスが現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替えるステップは、
前記端末デバイスが現在アクティブ化されている第１のアップリンクＢＷＰでＬＢＴを実行して失敗し、且つバックオフ期間が第２の閾値以上の場合、現在アクティブ化されているアップリンクＢＷＰを前記第１のアップリンクＢＷＰから第２のアップリンクＢＷＰに切り替えるステップを含む
ことを特徴とする請求項５又は６に記載のランダムアクセス方法。
【請求項１０】
前記第２の閾値は予め設定された閾値であるか、又は前記第２の閾値は前記ネットワークデバイスにより構成された閾値である
ことを特徴とする請求項９に記載のランダムアクセス方法。
【請求項１１】
前記端末デバイスがリッスンビフォアトーク（ＬＢＴ）の方式によってターゲットアップリンク帯域幅部分（ＢＷＰ）を決定するステップは、
前記端末デバイスが前記ネットワークデバイスにより構成された少なくとも１つのアップリンクＢＷＰでＬＢＴを実行するステップと、
前記端末デバイスがＬＢＴの実行に成功したアップリンクＢＷＰの中から前記ターゲットアップリンクＢＷＰを決定するステップと、を含み、
前記少なくとも１つのアップリンクＢＷＰには、現在アクティブ化されている第１のアップリンクＢＷＰが含まれる
ことを特徴とする請求項４に記載のランダムアクセス方法。
【請求項１２】
前記少なくとも１つのアップリンクＢＷＰの各アップリンクＢＷＰには、競合ベースランダムアクセスリソースが構成されている
ことを特徴とする請求項１１に記載のランダムアクセス方法。
【請求項１３】
前記端末デバイスがＬＢＴの実行に成功したアップリンクＢＷＰの中から前記ターゲットアップリンクＢＷＰを決定するステップは、
前記端末デバイスが前記ＬＢＴの実行に成功したアップリンクＢＷＰに前記第１のアップリンクＢＷＰが含まれると決定した場合、前記第１のアップリンクＢＷＰを前記ターゲットアップリンクＢＷＰとして決定するステップを含む
ことを特徴とする請求項１１又は１２に記載のランダムアクセス方法。
【請求項１４】
前記端末デバイスがＬＢＴの実行に成功したアップリンクＢＷＰの中から前記ターゲットアップリンクＢＷＰを決定するステップは、
前記端末デバイスが前記ＬＢＴの実行に成功したアップリンクＢＷＰに前記第１のアップリンクＢＷＰが含まれないと決定した場合、前記ＬＢＴの実行に成功したアップリンクＢＷＰの中から１つのアップリンクＢＷＰをランダムに選択して前記ターゲットＢＷＰとして決定するステップを含む
ことを特徴とする請求項１１又は１２に記載のランダムアクセス方法。
【請求項１５】
前記端末デバイスが前記少なくとも１つのアップリンクＢＷＰでＬＢＴを実行していずれも失敗したと決定した場合、前記少なくとも１つのアップリンクＢＷＰにＬＢＴの実行に成功したアップリンクＢＷＰが含まれるまで、前記少なくとも１つのアップリンクＢＷＰでＬＢＴを実行し続けるステップをさらに含む
ことを特徴とする請求項１１〜１４のいずれか１項に記載のランダムアクセス方法。
【請求項１６】
前記端末デバイスが前記ターゲットアップリンクＢＷＰでランダムアクセスプロセスを開始するステップは、
前記端末デバイスが前記ターゲットアップリンクＢＷＰで非競合ベースランダムアクセスプロセスを開始するステップを含む
ことを特徴とする請求項１又は２に記載のランダムアクセス方法。
【請求項１７】
前記端末デバイスがリッスンビフォアトーク（ＬＢＴ）の方式によってターゲットアップリンク帯域幅部分（ＢＷＰ）を決定する前に、
前記端末デバイスが前記ネットワークデバイスにより送信された指示情報を受信するステップをさらに含み、
前記指示情報は、前記端末デバイスが非競合ランダムアクセスプロセスを開始するときに使用するＰＲＡＣＨリソースを指示するために使用され、
ここで、前記端末デバイスがリッスンビフォアトーク（ＬＢＴ）の方式によってターゲットアップリンク帯域幅部分（ＢＷＰ）を決定するステップは、
前記端末デバイスが前記ＰＲＡＣＨリソースが位置するアップリンクＢＷＰでＬＢＴを実行して成功した場合、前記ＰＲＡＣＨリソースが位置するアップリンクＢＷＰを前記ターゲットアップリンクＢＷＰとして決定するステップを含む
ことを特徴とする請求項１６に記載のランダムアクセス方法。
【請求項１８】
前記端末デバイスが前記ネットワークデバイスにより送信された指示情報を受信するステップは、
前記端末デバイスが前記ネットワークデバイスにより送信された物理ダウンリンク制御チャネル（ＰＤＣＣＨ）シグナリングを受信するステップを含み、
前記ＰＤＣＣＨシグナリングには前記指示情報が含まれる
ことを特徴とする請求項１７に記載のランダムアクセス方法。
【請求項１９】
前記端末デバイスが前記ネットワークデバイスにより送信された指示情報を受信するステップは、
前記端末デバイスが前記ネットワークデバイスにより送信された無線リソース制御（ＲＲＣ）シグナリングを受信するステップを含み、
前記ＲＲＣシグナリングには前記指示情報が含まれる
ことを特徴とする請求項１７に記載のランダムアクセス方法。
【請求項２０】
前記端末デバイスが前記ネットワークデバイスにより送信された指示情報を受信するステップは、
前記端末デバイスが前記ネットワークデバイスにより送信された媒体アクセス制御（ＭＡＣ）制御要素（ＣＥ）を受信するステップを含み、
前記ＭＡＣ  ＣＥには前記指示情報が含まれる
ことを特徴とする請求項１７に記載のランダムアクセス方法。
【請求項２１】
アンライセンスバンドに適用され、
ネットワークデバイスがリッスンビフォアトーク（ＬＢＴ）の方式によってターゲットダウンリンク帯域幅部分（ＢＷＰ）を決定するステップと、
前記ネットワークデバイスが前記ターゲットアップリンクＢＷＰで前記端末デバイスにより開始されたランダムアクセスプロセスに応答するステップと、を含む
ことを特徴とするランダムアクセス方法。
【請求項２２】
前記ネットワークデバイスがターゲットアップリンクＢＷＰと同じインデックスを有するダウンリンクＢＷＰを前記ターゲットダウンリンクＢＷＰとして決定するステップをさらに含み、
前記ターゲットアップリンクＢＷＰは、ランダムアクセスプロセスを開始するために前記端末デバイスにより使用されるアップリンクＢＷＰである
ことを特徴とする請求項２１に記載のランダムアクセス方法。
【請求項２３】
前記ネットワークデバイスが前記ターゲットアップリンクＢＷＰで前記端末デバイスにより開始されたランダムアクセスプロセスに応答するステップは、
前記ネットワークデバイスが前記ターゲットアップリンクＢＷＰで前記端末デバイスにより開始された競合ランダムアクセスプロセスに応答するステップを含む
ことを特徴とする請求項２１又は２２に記載のランダムアクセス方法。
【請求項２４】
前記ネットワークデバイスが前記ターゲットアップリンクＢＷＰで前記端末デバイスにより開始されたランダムアクセスプロセスに応答するステップは、
前記ネットワークデバイスが前記ターゲットアップリンクＢＷＰで前記端末デバイスにより開始された非競合ランダムアクセスプロセスに応答するステップを含む
ことを特徴とする請求項２１又は２２に記載のランダムアクセス方法。
【請求項２５】
前記ネットワークデバイスがリッスンビフォアトーク（ＬＢＴ）の方式によってターゲットダウンリンク帯域幅部分（ＢＷＰ）を決定する前に、
前記ネットワークデバイスが前記端末デバイスに指示情報を送信するステップをさらに含み、
前記指示情報は、前記端末デバイスが非競合ランダムアクセスプロセスを開始するときに使用するＰＲＡＣＨリソースを指示するために使用され、
ここで、前記ターゲットアップリンクＢＷＰは前記ＰＲＡＣＨリソースが位置するアップリンクＢＷＰである
ことを特徴とする請求項２４に記載のランダムアクセス方法。
【請求項２６】
前記ネットワークデバイスが前記端末デバイスに指示情報を送信するステップは、
前記ネットワークデバイスが前記端末デバイスに物理ダウンリンク制御チャネル（ＰＤＣＣＨ）シグナリングを送信するステップを含み、
前記ＰＤＣＣＨシグナリングには前記指示情報が含まれる
ことを特徴とする請求項２５に記載のランダムアクセス方法。
【請求項２７】
前記ネットワークデバイスが前記端末デバイスに指示情報を送信するステップは、
前記ネットワークデバイスが前記端末デバイスに無線リソース制御（ＲＲＣ）シグナリングを送信するステップを含み、
前記ＲＲＣシグナリングには前記指示情報が含まれる
ことを特徴とする請求項２５に記載のランダムアクセス方法。
【請求項２８】
前記ネットワークデバイスが前記端末デバイスに指示情報を送信するステップは、
前記ネットワークデバイスが前記端末デバイスに媒体アクセス制御（ＭＡＣ）制御要素（ＣＥ）を送信するステップを含み、
前記ＭＡＣ  ＣＥには前記指示情報が含まれる
ことを特徴とする請求項２５に記載のランダムアクセス方法。
【請求項２９】
アンライセンスバンドに適用され、
リッスンビフォアトーク（ＬＢＴ）の方式によってターゲットアップリンク帯域幅部分（ＢＷＰ）を決定するための決定ユニットと、
前記ターゲットアップリンクＢＷＰでランダムアクセスプロセスを開始するためのアクセスユニットと、を備える
ことを特徴とする端末デバイス。
【請求項３０】
現在アクティブ化されているダウンリンクＢＷＰを、前記ターゲットアップリンクＢＷＰと同じインデックスを有するダウンリンクＢＷＰに切り替えるための切り替えユニットをさらに備える
ことを特徴とする請求項２９に記載の端末デバイス。
【請求項３１】
前記決定ユニットは具体的に、
現在アクティブ化されている第１のアップリンクＢＷＰでＬＢＴを実行して成功した場合、前記第１のアップリンクＢＷＰを前記ターゲットＢＷＰとして決定するために使用され、
前記第１のＢＷＰには競合ベースランダムアクセスリソースが構成され、及び／又は前記第１のＢＷＰには非競合ベースランダムアクセスリソースが構成されている
ことを特徴とする請求項２９又は３０に記載の端末デバイス。
【請求項３２】
前記アクセスユニットは具体的に、
前記ターゲットアップリンクＢＷＰで競合ベースランダムアクセスプロセスを開始するために使用される
ことを特徴とする請求項２９〜３１のいずれか１項に記載の端末デバイス。
【請求項３３】
前記決定ユニットはより具体的に、
現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替え、
前記第２のＢＷＰでＬＢＴを実行して成功した場合、前記第２のＢＷＰを前記ターゲットＢＷＰとして決定するために使用され、
前記第２のＢＷＰはネットワークデバイスにより構成されたアップリンクＢＷＰである
ことを特徴とする請求項３２に記載の端末デバイス。
【請求項３４】
前記第２のアップリンクＢＷＰには競合ベースランダムアクセスリソースが構成されている
ことを特徴とする請求項３３に記載の端末デバイス。
【請求項３５】
前記決定ユニットはより具体的に、
現在アクティブ化されている第１のアップリンクＢＷＰでＬＢＴを実行し、且つ失敗回数が第１の閾値以上の場合、現在アクティブ化されているアップリンクＢＷＰを前記第１のアップリンクＢＷＰから前記第２のアップリンクＢＷＰに切り替えるために使用される
ことを特徴とする請求項３３又は３４に記載の端末デバイス。
【請求項３６】
前記第１の閾値は予め設定された閾値であるか、又は前記第１の閾値は前記ネットワークデバイスにより構成された閾値である
ことを特徴とする請求項３５に記載の端末デバイス。
【請求項３７】
前記決定ユニットはより具体的に、
現在アクティブ化されている第１のアップリンクＢＷＰでＬＢＴを実行して失敗し、且つバックオフ期間が第２の閾値以上の場合、現在アクティブ化されているアップリンクＢＷＰを前記第１のアップリンクＢＷＰから第２のアップリンクＢＷＰに切り替えるために使用される
ことを特徴とする請求項３３又は３４に記載の端末デバイス。
【請求項３８】
前記第２の閾値は予め設定された閾値であるか、又は前記第２の閾値は前記ネットワークデバイスにより構成された閾値である
ことを特徴とする請求項３７に記載の端末デバイス。
【請求項３９】
前記決定ユニットはより具体的に、
前記ネットワークデバイスにより構成された少なくとも１つのアップリンクＢＷＰでＬＢＴを実行し、
ＬＢＴの実行に成功したアップリンクＢＷＰの中から前記ターゲットアップリンクＢＷＰを決定するために使用され、
前記少なくとも１つのアップリンクＢＷＰには現在アクティブ化されている第１のアップリンクＢＷＰが含まれる
ことを特徴とする請求項３２に記載の端末デバイス。
【請求項４０】
前記少なくとも１つのアップリンクＢＷＰの各アップリンクＢＷＰには、競合ベースランダムアクセスリソースが構成されている
ことを特徴とする請求項３９に記載の端末デバイス。
【請求項４１】
前記決定ユニットはより具体的に、
前記ＬＢＴの実行に成功したアップリンクＢＷＰに前記第１のアップリンクＢＷＰが含まれると決定した場合、前記第１のアップリンクＢＷＰを前記ターゲットアップリンクＢＷＰとして決定するために使用される
ことを特徴とする請求項３９又は４０に記載の端末デバイス。
【請求項４２】
前記決定ユニットはより具体的に、
前記ＬＢＴの実行に成功したアップリンクＢＷＰに前記第１のアップリンクＢＷＰが含まれないと決定した場合、前記ＬＢＴの実行に成功したアップリンクＢＷＰの中から１つのアップリンクＢＷＰをランダムに選択して前記ターゲットＢＷＰとして決定するために使用される
ことを特徴とする請求項３９又は４０に記載の端末デバイス。
【請求項４３】
前記決定ユニットはさらに、
前記少なくとも１つのアップリンクＢＷＰでＬＢＴを実行していずれも失敗したと決定した場合、前記少なくとも１つのアップリンクＢＷＰにＬＢＴの実行に成功したアップリンクＢＷＰが含まれるまで、前記少なくとも１つのアップリンクＢＷＰでＬＢＴを実行し続けるために使用される
ことを特徴とする請求項３９〜４２のいずれか１項に記載の端末デバイス。
【請求項４４】
前記アクセスユニットは具体的に、
前記ターゲットアップリンクＢＷＰで非競合ベースランダムアクセスプロセスを開始するために使用される
ことを特徴とする請求項２９又は３０に記載の端末デバイス。
【請求項４５】
送受信ユニットをさらに備え、
前記送受信ユニットは、前記決定ユニットがリッスンビフォアトーク（ＬＢＴ）の方式によってターゲットアップリンク帯域幅部分（ＢＷＰ）を決定する前に、前記ネットワークデバイスにより送信された指示情報を受信するために使用され、
前記指示情報は、前記端末デバイスが非競合ランダムアクセスプロセスを開始するときに使用するＰＲＡＣＨリソースを指示するために使用され、
前記決定ユニッは具体的に、
前記ＰＲＡＣＨリソースが位置するアップリンクＢＷＰでＬＢＴを実行して成功した場合、前記ＰＲＡＣＨリソースが位置するアップリンクＢＷＰを前記ターゲットアップリンクＢＷＰとして決定するために使用される
ことを特徴とする請求項４４に記載の端末デバイス。
【請求項４６】
前記送受信ユニットは具体的に、
前記ネットワークデバイスにより送信された物理ダウンリンク制御チャネル（ＰＤＣＣＨ）シグナリングを受信するために使用され、
前記ＰＤＣＣＨシグナリングには前記指示情報が含まれる
ことを特徴とする請求項４５に記載の端末デバイス。
【請求項４７】
前記送受信ユニットは具体的に、
前記ネットワークデバイスにより送信された無線リソース制御（ＲＲＣ）シグナリングを受信するために使用され、
前記ＲＲＣシグナリングには前記指示情報が含まれる
ことを特徴とする請求項４５に記載の端末デバイス。
【請求項４８】
前記送受信ユニットは具体的に、
前記ネットワークデバイスにより送信された媒体アクセス制御（ＭＡＣ）制御要素（ＣＥ）を受信するために使用され、
前記ＭＡＣ  ＣＥには前記指示情報が含まれる
ことを特徴とする請求項４５に記載の端末デバイス。
【請求項４９】
アンライセンスバンドに適用され、
リッスンビフォアトーク（ＬＢＴ）の方式によってターゲットダウンリンク帯域幅部分（ＢＷＰ）を決定するための決定ユニットと、
前記ターゲットアップリンクＢＷＰで前記端末デバイスにより開始されたランダムアクセスプロセスに応答するための応答ユニットと、を備える
ことを特徴とするネットワークデバイス。
【請求項５０】
前記決定ユニットは具体的に、
ターゲットアップリンクＢＷＰと同じインデックスを有するダウンリンクＢＷＰを前記ターゲットダウンリンクＢＷＰとして決定するために使用され、
前記ターゲットアップリンクＢＷＰは、ランダムアクセスプロセスを開始するために前記端末デバイスにより使用されるアップリンクＢＷＰである
ことを特徴とする請求項４９に記載のネットワークデバイス。
【請求項５１】
前記応答ユニットは具体的に、
前記ターゲットアップリンクＢＷＰで前記端末デバイスにより開始された競合ランダムアクセスプロセスに応答するために使用される
ことを特徴とする請求項４９又は５０に記載のネットワークデバイス。
【請求項５２】
前記応答ユニットは具体的に、
前記ターゲットアップリンクＢＷＰで前記端末デバイスにより開始された非競合ランダムアクセスプロセスに応答するために使用される
ことを特徴とする請求項４９又は５０に記載のネットワークデバイス。
【請求項５３】
送受信ユニットをさらに備え、
前記決定ユニットがリッスンビフォアトーク（ＬＢＴ）の方式によってターゲットダウンリンク帯域幅部分（ＢＷＰ）を決定する前に、前記送受信ユニットは、前記端末デバイスに指示情報を送信するために使用され、
前記指示情報は、前記端末デバイスが非競合ランダムアクセスプロセスを開始するときに使用するＰＲＡＣＨリソースを指示するために使用され、
ここで、前記ターゲットアップリンクＢＷＰは前記ＰＲＡＣＨリソースが位置するアップリンクＢＷＰである
ことを特徴とする請求項５２に記載のネットワークデバイス。
【請求項５４】
前記送受信ユニットは具体的に、
前記端末デバイスに物理ダウンリンク制御チャネル（ＰＤＣＣＨ）シグナリングを送信するために使用され、
前記ＰＤＣＣＨシグナリングには前記指示情報が含まれる
ことを特徴とする請求項５３に記載のネットワークデバイス。
【請求項５５】
前記送受信ユニットは具体的に、
前記端末デバイスに無線リソース制御（ＲＲＣ）シグナリングを送信するために使用され、
前記ＲＲＣシグナリングには前記指示情報が含まれる
ことを特徴とする請求項５３に記載のネットワークデバイス。
【請求項５６】
前記送受信ユニットは具体的に、
前記端末デバイスに媒体アクセス制御（ＭＡＣ）制御要素（ＣＥ）を送信するために使用され、
前記ＭＡＣ  ＣＥには前記指示情報が含まれる
ことを特徴とする請求項５３に記載のネットワークデバイス。
【請求項５７】
メモリからコンピュータプログラムを呼び出して実行するためのプロセッサーを備え、前記コンピュータプログラムは、請求項１〜２０のいずれか１項に記載のランダムアクセス方法を実行するための命令を含む
ことを特徴とする端末デバイス。
【請求項５８】
メモリからコンピュータプログラムを呼び出して実行するためのプロセッサーを備え、前記コンピュータプログラムは、請求項２１〜２８のいずれか１項に記載のランダムアクセス方法を実行するための命令を含む
ことを特徴とするネットワークデバイス。
【請求項５９】
メモリからコンピュータプログラムを呼び出して実行するためのプロセッサーを備え、前記コンピュータプログラムは、請求項１〜２０のいずれか１項に記載のランダムアクセス方法を実行するための命令を含む
ことを特徴とするチップ。
【請求項６０】
メモリからコンピュータプログラムを呼び出して実行するためのプロセッサーを備え、前記コンピュータプログラムは、請求項２１〜２８のいずれか１項に記載のランダムアクセス方法を実行するための命令を含む
ことを特徴とするチップ。
【請求項６１】
コンピュータプログラムを格納するために使用され、
前記コンピュータプログラムは、請求項１〜２０のいずれか１項に記載のランダムアクセス方法を実行するための命令を含む
ことを特徴とする記録媒体。
【請求項６２】
コンピュータプログラムを格納するために使用され、
前記コンピュータプログラムは、請求項２１〜２８のいずれか１項に記載のランダムアクセス方法を実行するための命令を含む
ことを特徴とする記録媒体。
【請求項６３】
端末デバイス及びネットワークデバイスを含み、
前記端末デバイスは、
リッスンビフォアトーク（ＬＢＴ）の方式によってターゲットアップリンク帯域幅部分（ＢＷＰ）を決定し、
前記ターゲットアップリンクＢＷＰでランダムアクセスプロセスを開始するために使用され、
前記ネットワークデバイスは、
リッスンビフォアトーク（ＬＢＴ）の方式によってターゲットダウンリンク帯域幅部分（ＢＷＰ）を決定し、
前記ターゲットアップリンクＢＷＰで前記端末デバイスにより開始されたランダムアクセスプロセスに応答するために使用される
ことを特徴とする通信システム。
【請求項６４】
アンライセンスバンドに適用され、
端末デバイスがリッスンビフォアトーク（ＬＢＴ）によってターゲットアップリンク帯域幅部分（ＢＷＰ）を決定するステップと、
前記端末デバイスが前記ターゲットアップリンクＢＷＰでターゲットリソースを使用してデータを伝送するステップと、を含む
ことを特徴とするデータ伝送方法。
【請求項６５】
前記端末デバイスが前記ターゲットアップリンクＢＷＰでターゲットリソースを使用してデータを伝送する前に、
前記端末デバイスがネットワークデバイスにより送信された構成情報を受信するステップをさらに含み、
前記構成情報は、前記端末デバイスに前記ターゲットリソースを構成するために使用される
ことを特徴とする請求項６４に記載のデータ伝送方法。
【請求項６６】
前記端末デバイスがネットワークデバイスにより送信された構成情報を受信するステップは、
前記端末デバイスがネットワークデバイスにより送信された無線リソース制御（ＲＲＣ）シグナリングを受信するステップを含み、
前記ＲＲＣシグナリングには前記構成情報が含まれる
ことを特徴とする請求項６５に記載のデータ伝送方法。
【請求項６７】
前記端末デバイスがネットワークデバイスにより送信されたダウンリンク制御情報（ＤＣＩ）を受信するステップをさらに含み、
前記ＤＣＩは、前記ターゲットリソースをアクティブ化するために使用される
ことを特徴とする請求項６５又は６６に記載のデータ伝送方法。
【請求項６８】
前記ＤＣＩは、非アクティブＢＷＰに構成された構成リソースをアクティブ化するために使用され、
前記構成リソースには前記ターゲットリソースが含まれる
ことを特徴とする請求項６７に記載のデータ伝送方法。
【請求項６９】
前記端末デバイスが前記ターゲットリソースをアクティブ化するステップをさらに含む
ことを特徴とする請求項６５又は６６に記載のデータ伝送方法。
【請求項７０】
アンライセンスバンドに適用され、
ネットワークデバイスがリッスンビフォアトーク（ＬＢＴ）によってターゲットアップリンク帯域幅部分（ＢＷＰ）を決定するステップと、
前記ネットワークデバイスが前記ターゲットアップリンクＢＷＰでターゲットリソースを使用してデータを受信するステップと、を含む
ことを特徴とするデータ受信方法。
【請求項７１】
前記ネットワークデバイスが前記ターゲットアップリンクＢＷＰでターゲットリソースを使用してデータを受信する前に、
前記ネットワークデバイスが構成情報を生成するステップと、
前記ネットワークデバイスが端末デバイスに前記構成情報を送信するステップと、をさらに含み、
前記構成情報は、前記端末デバイスに前記ターゲットリソースを構成するために使用される
ことを特徴とする請求項７０に記載のデータ受信方法。
【請求項７２】
前記ネットワークデバイスが前記端末デバイスに前記構成情報を送信するステップは、
前記ネットワークデバイスが前記端末デバイスに無線リソース制御（ＲＲＣ）シグナリングを送信するステップを含み、
前記ＲＲＣシグナリングには前記構成情報が含まれる
ことを特徴とする請求項７１に記載のデータ受信方法。
【請求項７３】
前記ネットワークデバイスがダウンリンク制御情報（ＤＣＩ）を生成するステップと、
前記ネットワークデバイスが前記端末デバイスに前記ＤＣＩを送信するステップと、をさらに含み、
前記ＤＣＩは、前記ターゲットリソースをアクティブ化するために使用される
ことを特徴とする請求項７１又は７２に記載のデータ受信方法。
【請求項７４】
前記ＤＣＩは、非アクティブＢＷＰ上に構成された構成リソースをアクティブ化するために使用され、
前記構成リソースには前記ターゲットリソースが含まれる
ことを特徴とする請求項７３に記載のデータ受信方法。
【請求項７５】
アンライセンスバンドに適用され、
リッスンビフォアトーク（ＬＢＴ）によってターゲットアップリンク帯域幅部分（ＢＷＰ）を決定するための決定ユニットと、
前記ターゲットアップリンクＢＷＰでターゲットリソースを使用してデータを伝送するための通信ユニットと、を備える
ことを特徴とする端末デバイス。
【請求項７６】
前記通信ユニットが前記ターゲットアップリンクＢＷＰでターゲットリソースを使用してデータを伝送する前に、前記通信ユニットはさらに、
ネットワークデバイスにより送信された構成情報を受信するために使用され、
前記構成情報は、前記端末デバイスに前記ターゲットリソースを構成するために使用される
ことを特徴とする請求項７５に記載の端末デバイス。
【請求項７７】
前記通信ユニットは具体的に、
ネットワークデバイスにより送信された無線リソース制御（ＲＲＣ）シグナリングを受信するために使用され、
前記ＲＲＣシグナリングには前記構成情報が含まれる
ことを特徴とする請求項７６に記載の端末デバイス。
【請求項７８】
前記通信ユニットはさらに、
ネットワークデバイスにより送信されたダウンリンク制御情報（ＤＣＩ）を受信するために使用され、
前記ＤＣＩは、前記ターゲットリソースをアクティブ化するために使用される
ことを特徴とする請求項７６又は７７に記載の端末デバイス。
【請求項７９】
前記ＤＣＩは、非アクティブＢＷＰ上に構成された構成リソースをアクティブ化するために使用され、
前記構成リソースには前記ターゲットリソースが含まれる
ことを特徴とする請求項７８に記載の端末デバイス。
【請求項８０】
前記通信ユニットはさらに、
前記ターゲットリソースをアクティブ化するために使用される
ことを特徴とする請求項７６又は７７に記載の端末デバイス。
【請求項８１】
アンライセンスバンドに適用され、
リッスンビフォアトーク（ＬＢＴ）によってターゲットアップリンク帯域幅部分（ＢＷＰ）を決定するための決定ユニットと、
前記ターゲットアップリンクＢＷＰでターゲットリソースを使用してデータを受信するための通信ユニットと、を備える
ことを特徴とするネットワークデバイス。
【請求項８２】
前記通信ユニットが前記ターゲットアップリンクＢＷＰでターゲットリソースを使用してデータを受信する前に、前記通信ユニットはさらに、
構成情報を生成し、端末デバイスに前記構成情報を送信するために使用され、
前記構成情報は、前記端末デバイスに前記ターゲットリソースを構成するために使用される
ことを特徴とする請求項８１に記載のネットワークデバイス。
【請求項８３】
前記通信ユニットは具体的に、
前記端末デバイスに無線リソース制御（ＲＲＣ）シグナリングを送信するために使用され、
前記ＲＲＣシグナリングには前記構成情報が含まれる
ことを特徴とする請求項８２に記載のネットワークデバイス。
【請求項８４】
前記通信ユニットはさらに、
前記端末デバイスにダウンリンク制御情報（ＤＣＩ）を送信するために使用され、
前記ＤＣＩは、前記ターゲットリソースをアクティブ化するために使用される
ことを特徴とする請求項８１又は８２に記載のネットワークデバイス。
【請求項８５】
前記ＤＣＩは、非アクティブＢＷＰ上に構成された構成リソースをアクティブ化するために使用され、
前記構成リソースには前記ターゲットリソースが含まれる
ことを特徴とする請求項８４に記載のネットワークデバイス。
【請求項８６】
メモリからコンピュータプログラムを呼び出して実行するためのプロセッサーを備え、前記コンピュータプログラムは、請求項６４〜６９のいずれか１項に記載のデータ伝送方法を実行するための命令を含む
ことを特徴とする端末デバイス。
【請求項８７】
メモリからコンピュータプログラムを呼び出して実行するためのプロセッサーを備え、前記コンピュータプログラムは、請求項７０〜７４のいずれか１項に記載のデータ受信方法を実行するための命令を含む
ことを特徴とするネットワークデバイス。
【請求項８８】
メモリからコンピュータプログラムを呼び出して実行するためのプロセッサーを備え、前記コンピュータプログラムは、請求項６４〜６９のいずれか１項に記載のデータ伝送方法を実行するための命令を含む
ことを特徴とするチップ。
【請求項８９】
メモリからコンピュータプログラムを呼び出して実行するためのプロセッサーを備え、前記コンピュータプログラムは、請求項７０〜７４のいずれか１項に記載のデータ受信方法を実行するための命令を含む
ことを特徴とするチップ。
【請求項９０】
コンピュータプログラムを格納するために使用され、前記コンピュータプログラムは、請求項６４〜６９のいずれか１項に記載のデータ伝送方法を実行するための命令を含む
ことを特徴とする記録媒体。
【請求項９１】
コンピュータプログラムを格納するために使用され、前記コンピュータプログラムは、請求項７０〜７４のいずれか１項に記載のデータ受信方法を実行するための命令を含む
ことを特徴とする記録媒体。
【発明の詳細な説明】
【関連出願の相互参照】
【０００１】
本願は、２０１８年８月１日に中国特許庁に提出された、出願番号が２０１８１０８６５９２１．２であって、出願の名称が「ランダムアクセス方法、端末デバイス及びネットワークデバイス」である中国特許出願に基づき優先権を主張し、また、２０１８年９月１７日に中国特許庁に提出された、出願番号が２０１８１１０８２３９２．５であって、出願の名称が「ランダムアクセス方法、端末デバイス及びネットワークデバイス」である中国特許出願に基づき優先権を主張し、当該中国特許出願の内容のすべてを本願に援用する。
【技術分野】
【０００２】
本発明の実施例は、通信の技術分野に関し、特にランダムアクセス方法、端末デバイス及びネットワークデバイスに関する。
【背景技術】
【０００３】
現在、ロングタームエボリューション（Ｌｏｎｇ  Ｔｅｒｍ  Ｅｖｏｌｕｔｉｏｎ：ＬＴＥ）は、キャリアアグリゲーション（Ｃａｒｒｉｅｒ  Ａｇｇｒｅｇａｔｉｏｎ：ＣＡ）の方式でアンライセンススペクトルを使用することをサポートしている。具体的に、プライマリセル（Ｐｒｉｍａｒｙ  Ｃｅｌｌ：ＰＣｅｌｌ）は、ライセンススペクトル上で動作して基本的なアクセス機能及びデータ伝送機能を提供し、セカンダリセル（Ｓｅｃｏｎｄａｒｙ  Ｃｅｌｌ：ＳＣｅｌｌ）は、アンライセンススペクトル上で動作してデータブースティング（ｂｏｏｓｔｉｎｇ）の目的で使用される。ＬＴＥのライセンスアシストアクセス（Ｌｉｃｅｎｓｅｄ−Ａｓｓｉｓｔｅｄ  Ａｃｃｅｓｓ：ＬＡＡ）動作方式では、物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）はＰＣｅｌｌを介してアクセスする。したがって、アンライセンス（ｕｎｌｉｃｅｎｓｅｄ）バンドの場合、ＰＲＡＣＨアクセスに関連する技術案はない。
【０００４】
しかしながら、新しい無線（Ｎｅｗ  Ｒａｄｉｏ：ＮＲ）は、スタンドアロン（ｓｔａｎｄ−ａｌｏｎｅ：ＳＡ）をサポートしており、このスタンドアロンとは、端末デバイスがアンライセンスバンド上でプライマリセル（Ｐｒｉｍａｒｙ  Ｃｅｌｌ：ＰＣｅｌｌ）機能及びセカンダリセル（Ｓｅｃｏｎｄａｒｙ  Ｃｅｌｌ：ＳＣｅｌｌ）機能を実現するものであり、ｓｔａｎｄ−ａｌｏｎｅの場合、ＰＲＡＣＨアクセスプロセスもｕｎｌｉｃｅｎｓｅｄスペクトル上で完了する必要がある。
【０００５】
したがって、アンライセンススペクトル上でのランダムアクセスを如何に実現するかは、この分野で緊急に解決する必要がある技術的問題である。
【発明の概要】
【０００６】
本発明は、アンライセンススペクトル上でのランダムアクセスを実現できるランダムアクセス方法、端末デバイス及びネットワークデバイスを提供する。
【０００７】
第１の態様によれば、ランダムアクセス方法が提供され、前記方法はアンライセンスバンドに適用され、前記方法は、端末デバイスがリッスンビフォアトーク（ＬＢＴ）の方式によってターゲットアップリンク帯域幅部分（ＢＷＰ）を決定するステップと、前記端末デバイスが前記ターゲットアップリンクＢＷＰでランダムアクセスプロセスを開始するステップと、を含む。
【０００８】
幾つかの可能な実現形態では、前記方法は、前記端末デバイスが現在アクティブ化されているダウンリンクＢＷＰを、前記ターゲットアップリンクＢＷＰと同じインデックスを有するダウンリンクＢＷＰに切り替えるステップをさらに含む。
【０００９】
幾つかの可能な実現形態では、前記端末デバイスがリッスンビフォアトーク（ＬＢＴ）の方式によってターゲットアップリンク帯域幅部分（ＢＷＰ）を決定するステップは、前記端末デバイスが現在アクティブ化されている第１のアップリンクＢＷＰでＬＢＴを実行して成功した場合、前記第１のアップリンクＢＷＰを前記ターゲットＢＷＰとして決定するステップを含み、前記第１のＢＷＰには競合ベースランダムアクセスリソースが構成され、及び／又は前記第１のＢＷＰには非競合ベースランダムアクセスリソースが構成されている。
【００１０】
幾つかの可能な実現形態では、前記端末デバイスが前記ターゲットアップリンクＢＷＰでランダムアクセスプロセスを開始するステップは、前記端末デバイスが前記ターゲットアップリンクＢＷＰで競合ベースランダムアクセスプロセスを開始するステップを含む。
【００１１】
幾つかの可能な実現形態では、前記方法は、前記端末デバイスが現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替えるステップと、前記端末デバイスが前記第２のＢＷＰでＬＢＴを実行して成功した場合、前記第２のＢＷＰを前記ターゲットＢＷＰとして決定するステップと、をさらに含み、前記第２のＢＷＰはネットワークデバイスにより構成されたアップリンクＢＷＰである。
【００１２】
幾つかの可能な実現形態では、前記第２のアップリンクＢＷＰには競合ベースランダムアクセスリソースが構成されている。
【００１３】
幾つかの可能な実現形態では、前記端末デバイスが現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替えるステップは、前記端末デバイスが現在アクティブ化されている第１のアップリンクＢＷＰでＬＢＴを実行し、且つ失敗回数が第１の閾値以上の場合、現在アクティブ化されているアップリンクＢＷＰを前記第１のアップリンクＢＷＰから前記第２のアップリンクＢＷＰに切り替えるステップを含む。
【００１４】
幾つかの可能な実現形態では、前記第１の閾値は予め設定された閾値であるか、又は前記第１の閾値は前記ネットワークデバイスにより構成された閾値である。
【００１５】
幾つかの可能な実現形態では、前記端末デバイスが現在アクティブ化されている第１のアップリンクＢＷＰでＬＢＴを実行して失敗した場合、現在アクティブ化されているアップリンクＢＷＰを前記第１のアップリンクＢＷＰから第２のアップリンクＢＷＰに切り替えるステップは、前記端末デバイスが現在アクティブ化されている第１のアップリンクＢＷＰでＬＢＴを実行して失敗し、且つバックオフ期間が第２の閾値以上の場合、現在アクティブ化されているアップリンクＢＷＰを前記第１のアップリンクＢＷＰから第２のアップリンクＢＷＰに切り替えるステップを含む。
【００１６】
幾つかの可能な実現形態では、前記第２の閾値は予め設定された閾値であるか、又は前記第２の閾値は前記ネットワークデバイスにより構成された閾値である。
【００１７】
幾つかの可能な実現形態では、前記端末デバイスがリッスンビフォアトーク（ＬＢＴ）の方式によってターゲットアップリンク帯域幅部分（ＢＷＰ）を決定するステップは、前記端末デバイスが前記ネットワークデバイスにより構成された少なくとも１つのアップリンクＢＷＰでＬＢＴを実行するステップと、前記端末デバイスがＬＢＴの実行に成功したアップリンクＢＷＰの中から前記ターゲットアップリンクＢＷＰを決定するステップと、を含み、前記少なくとも１つのアップリンクＢＷＰには、現在アクティブ化されている第１のアップリンクＢＷＰが含まれる。
【００１８】
幾つかの可能な実現形態では、前記少なくとも１つのアップリンクＢＷＰの各アップリンクＢＷＰには、競合ベースランダムアクセスリソースが構成されている。
【００１９】
幾つかの可能な実現形態では、前記端末デバイスがＬＢＴの実行に成功したアップリンクＢＷＰの中から前記ターゲットアップリンクＢＷＰを決定するステップは、前記端末デバイスが前記ＬＢＴの実行に成功したアップリンクＢＷＰに前記第１のアップリンクＢＷＰが含まれると決定した場合、前記第１のアップリンクＢＷＰを前記ターゲットアップリンクＢＷＰとして決定するステップを含む。
【００２０】
幾つかの可能な実現形態では、前記端末デバイスがＬＢＴの実行に成功したアップリンクＢＷＰの中から前記ターゲットアップリンクＢＷＰを決定するステップは、前記端末デバイスが前記ＬＢＴの実行に成功したアップリンクＢＷＰに前記第１のアップリンクＢＷＰが含まれないと決定した場合、前記ＬＢＴの実行に成功したアップリンクＢＷＰの中から１つのアップリンクＢＷＰをランダムに選択して前記ターゲットＢＷＰとして決定するステップを含む。
【００２１】
幾つかの可能な実現形態では、前記方法は、前記端末デバイスが前記少なくとも１つのアップリンクＢＷＰでＬＢＴを実行していずれも失敗したと決定した場合、前記少なくとも１つのアップリンクＢＷＰにＬＢＴの実行に成功したアップリンクＢＷＰが含まれるまで、前記少なくとも１つのアップリンクＢＷＰでＬＢＴを実行し続けるステップをさらに含む。
【００２２】
幾つかの可能な実現形態では、前記端末デバイスが前記ターゲットアップリンクＢＷＰでランダムアクセスプロセスを開始するステップは、前記端末デバイスが前記ターゲットアップリンクＢＷＰで非競合ベースランダムアクセスプロセスを開始するステップを含む。
【００２３】
幾つかの可能な実現形態では、前記端末デバイスがリッスンビフォアトーク（ＬＢＴ）の方式によってターゲットアップリンク帯域幅部分（ＢＷＰ）を決定する前に、前記方法は、前記端末デバイスが前記ネットワークデバイスにより送信された指示情報を受信するステップをさらに含み、前記指示情報は、前記端末デバイスが非競合ランダムアクセスプロセスを開始するときに使用するＰＲＡＣＨリソースを指示するために使用され、
ここで、前記端末デバイスがリッスンビフォアトーク（ＬＢＴ）の方式によってターゲットアップリンク帯域幅部分（ＢＷＰ）を決定するステップは、
前記端末デバイスが前記ＰＲＡＣＨリソースが位置するアップリンクＢＷＰでＬＢＴを実行して成功した場合、前記ＰＲＡＣＨリソースが位置するアップリンクＢＷＰを前記ターゲットアップリンクＢＷＰとして決定するステップを含む。
【００２４】
幾つかの可能な実現形態では、前記端末デバイスが前記ネットワークデバイスにより送信された指示情報を受信するステップは、前記端末デバイスが前記ネットワークデバイスにより送信された物理ダウンリンク制御チャネル（ＰＤＣＣＨ）シグナリングを受信するステップを含み、前記ＰＤＣＣＨシグナリングには前記指示情報が含まれる。
【００２５】
幾つかの可能な実現形態では、前記端末デバイスが前記ネットワークデバイスにより送信された指示情報を受信するステップは、前記端末デバイスが前記ネットワークデバイスにより送信された無線リソース制御（ＲＲＣ）シグナリングを受信するステップを含み、前記ＲＲＣシグナリングには前記指示情報が含まれる。
【００２６】
幾つかの可能な実現形態では、前記端末デバイスが前記ネットワークデバイスにより送信された指示情報を受信するステップは、前記端末デバイスが前記ネットワークデバイスにより送信された媒体アクセス制御（ＭＡＣ）制御要素（ＣＥ）を受信するステップを含み、前記ＭＡＣ  ＣＥには前記指示情報が含まれる。
【００２７】
第２の態様によれば、ランダムアクセス方法が提供され、前記方法はアンライセンスバンドに適用され、前記方法は、ネットワークデバイスがリッスンビフォアトーク（ＬＢＴ）の方式によってターゲットダウンリンク帯域幅部分（ＢＷＰ）を決定するステップと、前記ネットワークデバイスが前記ターゲットアップリンクＢＷＰで前記端末デバイスにより開始されたランダムアクセスプロセスに応答するステップと、を含む。
【００２８】
幾つかの可能な実現形態では、前記方法は、前記ネットワークデバイスがターゲットアップリンクＢＷＰと同じインデックスを有するダウンリンクＢＷＰを前記ターゲットダウンリンクＢＷＰとして決定するステップをさらに含み、前記ターゲットアップリンクＢＷＰは、ランダムアクセスプロセスを開始するために前記端末デバイスにより使用されるアップリンクＢＷＰである。
【００２９】
幾つかの可能な実現形態では、前記ネットワークデバイスが前記ターゲットアップリンクＢＷＰで前記端末デバイスにより開始されたランダムアクセスプロセスに応答するステップは、前記ネットワークデバイスが前記ターゲットアップリンクＢＷＰで前記端末デバイスにより開始された競合ランダムアクセスプロセスに応答するステップを含む。
【００３０】
幾つかの可能な実現形態では、前記ネットワークデバイスが前記ターゲットアップリンクＢＷＰで前記端末デバイスにより開始されたランダムアクセスプロセスに応答するステップは、前記ネットワークデバイスが前記ターゲットアップリンクＢＷＰで前記端末デバイスにより開始された非競合ランダムアクセスプロセスに応答するステップを含む。
【００３１】
幾つかの可能な実現形態では、前記ネットワークデバイスがリッスンビフォアトーク（ＬＢＴ）の方式によってターゲットダウンリンク帯域幅部分（ＢＷＰ）を決定する前に、前記方法は、前記ネットワークデバイスが前記端末デバイスに指示情報を送信するステップをさらに含み、前記指示情報は、前記端末デバイスが非競合ランダムアクセスプロセスを開始するときに使用するＰＲＡＣＨリソースを指示するために使用され、
ここで、前記ターゲットアップリンクＢＷＰは前記ＰＲＡＣＨリソースが位置するアップリンクＢＷＰである。
【００３２】
幾つかの可能な実現形態では、前記ネットワークデバイスが前記端末デバイスに指示情報を送信するステップは、前記ネットワークデバイスが前記端末デバイスに物理ダウンリンク制御チャネル（ＰＤＣＣＨ）シグナリングを送信するステップを含み、前記ＰＤＣＣＨシグナリングには前記指示情報が含まれる。
【００３３】
幾つかの可能な実現形態では、前記ネットワークデバイスが前記端末デバイスに指示情報を送信するステップは、前記ネットワークデバイスが前記端末デバイスに無線リソース制御（ＲＲＣ）シグナリングを送信するステップを含み、前記ＲＲＣシグナリングには前記指示情報が含まれる。
【００３４】
幾つかの可能な実現形態では、前記ネットワークデバイスが前記端末デバイスに指示情報を送信するステップは、前記ネットワークデバイスが前記端末デバイスに媒体アクセス制御（ＭＡＣ）制御要素（ＣＥ）を送信するステップを含み、前記ＭＡＣ  ＣＥには前記指示情報が含まれる。
【００３５】
第３の態様によれば、上記の第１の態様から第２の態様のいずれかの態様の方法、又は上記のいずれかの可能な実現形態における方法を実行するための通信デバイスが提供される。
【００３６】
幾つかの可能な実現形態では、前記通信デバイスは、上記の第１の態様から第２の態様のいずれかの態様の方法、又は上記のいずれかの可能な実現形態における方法を実行するための機能モジュールを備える。
【００３７】
幾つかの可能な実現形態では、前記通信デバイスは端末デバイスであり、前記端末デバイスは、上記の第１の態様又は上記の第１の態様のいずれかの実現可能な形態における方法を実行するために使用される。
【００３８】
幾つかの可能な実現形態では、前記通信デバイスはネットワークデバイスであり、前記ネットワークデバイスは、前述の第２の態様又は前述の第２の態様のいずれかの実現可能な形態における方法を実行するために使用される。
【００３９】
第４の態様によれば、メモリからコンピュータプログラムを呼び出して実行するためのプロセッサーを備える通信デバイスが提供され、前記コンピュータプログラムは、上記の第１の態様から第２の態様のいずれかの態様の方法、又は上記のいずれかの可能な実現形態における方法を実行するために使用される。
【００４０】
幾つかの可能な実現形態では、前記通信デバイスはメモリをさらに備え、前記メモリは、前記コンピュータプログラムを格納するために使用される。
【００４１】
幾つかの可能な実現形態では、前記通信デバイスは端末デバイスであり、前記端末デバイスは、上記の第１の態様又は上記の第１の態様のいずれかの実現可能な形態における方法を実行するために使用される。
【００４２】
幾つかの可能な実現形態では、前記通信デバイスはネットワークデバイスであり、前記ネットワークデバイスは、前述の第２の態様又は前述の第２の態様のいずれかの実現可能な形態における方法を実行するために使用される。
【００４３】
第５の態様によれば、上記の第１の態様から第２の態様のいずれかの態様の方法、又は上記のいずれかの可能な実現形態における方法を実行するためのチップが提供される。
【００４４】
幾つかの可能な実現形態では、前記チップは、
メモリからコンピュータプログラムを呼び出して実行するためのプロセッサーを備え、前記コンピュータプログラムは、上記の第１の態様から第２の態様のいずれかの態様の方法、又は上記のいずれかの可能な実現形態における方法を実行するために使用される。
【００４５】
幾つかの可能な実現形態では、前記チップはメモリをさらに備え、前記メモリは、前記コンピュータプログラムを格納するために使用される。
【００４６】
第６の態様によれば、コンピュータ読み取り可能な記録媒体が提供され、前記記録媒体は、コンピュータプログラムを格納するために使用され、前記コンピュータプログラムは、上記の第１の態様から第２の態様のいずれかの態様の方法、又は上記のいずれかの可能な実現形態における方法を実行するために使用される。
【００４７】
第７の態様によれば、コンピュータプログラム命令を含むコンピュータプログラム製品が提供され、前記コンピュータプログラムは、上記の第１の態様から第２の態様のいずれかの態様の方法、又は上記のいずれかの可能な実現形態における方法を実行するために使用される。
【００４８】
第８の態様によれば、コンピュータ上で実行されるときに、コンピュータに上記の第１の態様から第２の態様のいずれかの態様の方法、又は上記のいずれかの可能な実現形態における方法を実行させるコンピュータプログラムが提供される。
【００４９】
第９の態様によれば、端末デバイス及びネットワークデバイスを含む通信システムが提供され、ここで、
前記端末デバイスは、リッスンビフォアトーク（ＬＢＴ）の方式によってターゲットアップリンク帯域幅部分（ＢＷＰ）を決定し、前記ターゲットアップリンクＢＷＰでランダムアクセスプロセスを開始するために使用され、前記ネットワークデバイスは、リッスンビフォアトーク（ＬＢＴ）の方式によってターゲットダウンリンク帯域幅部分（ＢＷＰ）を決定し、前記ターゲットアップリンクＢＷＰで前記端末デバイスにより開始されたランダムアクセスプロセスに応答するために使用される。
【００５０】
幾つかの可能な実現形態では、前記端末デバイスは、上記の第１の態様の方法、又は上記のいずれかの可能な実現形態における方法を実行するために使用され、及び前記ネットワークデバイスは、前述の第２の態様のいずれかの態様又はその各実現形態における方法を実行するために使用される。
【００５１】
上記の技術案に基づき、端末デバイスは、ＬＢＴの方式によってターゲットアップリンクＢＷＰを決定し、前記ターゲットアップリンクＢＷＰでランダムアクセスプロセスを開始し、これにより、アンライセンスバンドでのアクセスを実現することができる。
【００５２】
第１０の態様によれば、データ伝送方法が提供され、前記方法はアンライセンスバンドに適用され、前記方法は、端末デバイスがリッスンビフォアトーク（ＬＢＴ）によってターゲットアップリンク帯域幅部分（ＢＷＰ）を決定するステップと、前記端末デバイスが前記ターゲットアップリンクＢＷＰでターゲットリソースを使用してデータを伝送するステップと、を含む。
【００５３】
幾つかの可能な実現形態では、前記端末デバイスが前記ターゲットアップリンクＢＷＰでターゲットリソースを使用してデータを伝送する前に、前記方法は、前記端末デバイスがネットワークデバイスにより送信された構成情報を受信するステップをさらに含み、前記構成情報は、前記端末デバイスに前記ターゲットリソースを構成するために使用される。
【００５４】
幾つかの可能な実現形態では、前記端末デバイスがネットワークデバイスにより送信された構成情報を受信するステップは、前記端末デバイスがネットワークデバイスにより送信された無線リソース制御（ＲＲＣ）シグナリングを受信するステップを含み、前記ＲＲＣシグナリングには前記構成情報が含まれる。
【００５５】
幾つかの可能な実現形態では、前記方法は、前記端末デバイスがネットワークデバイスにより送信されたダウンリンク制御情報（ＤＣＩ）を受信するステップをさらに含み、前記ＤＣＩは、前記ターゲットリソースをアクティブ化するために使用される。
【００５６】
幾つかの可能な実現形態では、前記ＤＣＩは、非アクティブＢＷＰ上に構成された構成リソースをアクティブ化するために使用され、前記構成リソースには前記ターゲットリソースが含まれる。
【００５７】
幾つかの可能な実現形態では、前記方法は、前記端末デバイスが前記ターゲットリソースをアクティブ化するステップをさらに含む。
【００５８】
第１１の態様によれば、データ受信方法が提供され、前記方法はアンライセンスバンドに適用され、前記方法は、ネットワークデバイスがリッスンビフォアトーク（ＬＢＴ）によってターゲットアップリンク帯域幅部分（ＢＷＰ）を決定するステップと、前記ネットワークデバイスが前記ターゲットアップリンクＢＷＰでターゲットリソースを使用してデータを受信するステップと、を含む。
【００５９】
幾つかの可能な実現形態では、前記ネットワークデバイスが前記ターゲットアップリンクＢＷＰでターゲットリソースを使用してデータを受信する前に、前記方法は、前記ネットワークデバイスが構成情報を生成するステップと、前記ネットワークデバイスが端末デバイスに前記構成情報を送信するステップと、をさらに含み、前記構成情報は、前記端末デバイスに前記ターゲットリソースを構成するために使用される。
【００６０】
幾つかの可能な実現形態では、前記ネットワークデバイスが前記端末デバイスに前記構成情報を送信するステップは、前記ネットワークデバイスが前記端末デバイスに無線リソース制御（ＲＲＣ）シグナリングを送信するステップを含み、前記ＲＲＣシグナリングには前記構成情報が含まれる。
【００６１】
幾つかの可能な実現形態では、前記方法は、前記ネットワークデバイスがダウンリンク制御情報（ＤＣＩ）を生成するステップと、前記ネットワークデバイスが前記端末デバイスに前記ＤＣＩを送信するステップと、をさらに含み、前記ＤＣＩは、前記ターゲットリソースをアクティブ化するために使用される。
【００６２】
幾つかの可能な実現形態では、前記ＤＣＩは、非アクティブＢＷＰ上に構成された構成リソースをアクティブ化するために使用され、前記構成リソースには前記ターゲットリソースが含まれる。
【００６３】
第１２の態様によれば、上記の第１の態様又は第１の態様のいずれかの可能な実現形態における方法を実行するための機能モジュールを備える端末デバイスが提供される。
【００６４】
第１３の態様によれば、端末デバイスが提供され、前記端末デバイスは、メモリからコンピュータプログラムを呼び出して実行するためのプロセッサーを備え、前記コンピュータプログラムは、上記の第１の態様又は第１の態様のいずれかの可能な実現形態における方法を実行するために使用される。
【００６５】
幾つかの可能な実現形態では、前記端末デバイスはメモリをさらに備え、前記メモリは、前記コンピュータプログラムを格納するために使用される。
【００６６】
第１４の態様によれば、上記の第２の態様又は第２の態様のいずれかの可能な実現形態における方法を実行するための機能モジュールを備えるネットワークデバイスが提供される。
【００６７】
第１５の態様によれば、ネットワークデバイスが提供され、前記ネットワークデバイスは、メモリからコンピュータプログラムを呼び出して実行するためのプロセッサーを備え、前記コンピュータプログラムは、上記の第２の態様又は第２の態様のいずれかの可能な実現形態における方法を実行するために使用される。
【００６８】
幾つかの可能な実現形態では、前記ネットワークデバイスはメモリをさらに備え、前記メモリは、前記コンピュータプログラムを格納するために使用される。
【００６９】
第１６の態様によれば、メモリからコンピュータプログラムを呼び出して実行するためのプロセッサーを備えるチップが提供され、前記コンピュータプログラムは、上記の第１の態様又は第１の態様のいずれかの可能な実現形態における方法を実行するための命令を含む。
【００７０】
第１７の態様によれば、メモリからコンピュータプログラムを呼び出して実行するためのプロセッサーを備えるチップが提供され、前記コンピュータプログラムは、上記の第２の態様又は第２の態様のいずれかの可能な実現形態における方法を実行するための命令を含む。
【００７１】
第１８の態様によれば、記録媒体が提供され、前記記録媒体は、コンピュータプログラムを格納するために使用され、前記コンピュータプログラムは、上記の第１の態様又は第１の態様のいずれかの可能な実現形態における方法を実行するための命令を含む。
【００７２】
第１９の態様によれば、記録媒体が提供され、前記記録媒体は、コンピュータプログラムを格納するために使用され、前記コンピュータプログラムは、上記の第２の態様又は第２の態様のいずれかの可能な実現形態における方法を実行するための命令を含む。
【００７３】
上記の技術案に基づき、端末デバイスは、ＬＢＴの方式によってターゲットアップリンクＢＷＰを決定し、前記ターゲットアップリンクＢＷＰでターゲットリソースを使用してデータを伝送し、これにより、アンライセンスバンド上でのデータ伝送を実現することができる。
【図面の簡単な説明】
【００７４】
【図１】本発明の実施例に係るアプリケーションシナリオの例である。
【図２】本発明の実施例に係る端末デバイスがランダムアクセスを開始する方法の概略フローチャートである。
【図３】本発明の実施例に係るネットワークデバイスが端末デバイスのランダムアクセスに応答する方法の概略フローチャートである。
【図４】本発明の実施例に係る端末デバイスの概略ブロック図である。
【図５】本発明の実施例に係るネットワークデバイスの概略ブロック図である。
【図６】本発明の実施例に係る通信デバイスの概略ブロック図である。
【図７】本発明の実施例に係るチップの概略ブロック図である。
【図８】本発明の実施例に係る通信システムの概略ブロック図である。
【発明を実施するための形態】
【００７５】
以下、本発明の実施例における技術案を、本発明の実施例における図面と併せて明確且つ完全に説明する。
【００７６】
本発明の実施例に係る技術案は、５Ｇ  ＮＲ通信システムに適用できる。
【００７７】
図１は、本発明の実施例に適用される無線通信システム１００を示す。この無線通信システム１００は、基地局１１０と、基地局１１０のカバレッジ内に位置する少なくとも１つの端末デバイス１２０とを含んでもよい。
【００７８】
基地局１１０は、端末デバイスと通信するデバイスであってもよい。基地局１１０は、特定の地域的領域に通信カバレッジを提供することができ、このカバレッジ領域内の端末デバイス（例えば、ＵＥ）と通信することができる。選択的に、この基地局１１０は、ＮＲシステムにおける基地局（ｇＮＢ）、又はクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよく、又はこのネットワークデバイスは、中継局、アクセスポイント、車載デバイス、ウェアラブルデバイス、又は将来進化する公衆陸上移動通信ネットワーク（Ｐｕｂｌｉｃ  Ｌａｎｄ  Ｍｏｂｉｌｅ  Ｎｅｔｗｏｒｋ：ＰＬＭＮ）におけるネットワークデバイス等であってもよい。
【００７９】
端末デバイス１２０は、移動式又は固定式であってもよい。選択的に、端末デバイス１２０は、アクセス端末、ユーザ機器（Ｕｓｅｒ  Ｅｑｕｉｐｍｅｎｔ：ＵＥ）、ユーザユニット、ユーザ局、移動局、モバイルステーション、遠隔局、遠隔端末、モバイルデバイス、ユーザ端末、端末、無線通信デバイス、ユーザエージェント、又はユーザ装置を指してもよい。アクセス端末は、携帯電話、コードレス電話、セッション確立プロトコル（Ｓｅｓｓｉｏｎ  Ｉｎｉｔｉａｔｉｏｎ  Ｐｒｏｔｏｃｏｌ：ＳＩＰ）電話、無線ロカールループ（Ｗｉｒｅｌｅｓｓ  Ｌｏｃａｌ  Ｌｏｏｐ：ＷＬＬ）局、携帯情報端末（Ｐｅｒｓｏｎａｌ  Ｄｉｇｉｔａｌ  Ａｓｓｉｓｔａｎｔ：ＰＤＡ）、無線通信機能のあるハンドヘルドデバイス、計算デバイス又は無線モデムに接続する他の処理デバイス、車載デバイス、ウェアラブルデバイス、将来の５Ｇネットワークにおける端末デバイス又は将来進化するＰＬＭＮにおける端末デバイス等であってもよい。
【００８０】
無線通信システム１００は、基地局と通信するコアネットワークデバイス１３０をさらに含み、このコアネットワークデバイス１３０は、５Ｇコアネットワーク（５Ｇ  Ｃｏｒｅ：５ＧＣ）デバイスであり、例えば、アクセス及びモビリティ管理機能（Ａｃｃｅｓｓ  ａｎｄ  Ｍｏｂｉｌｉｔｙ  Ｍａｎａｇｅｍｅｎｔ  Ｆｕｎｃｔｉｏｎ：ＡＭＦ）であり、別の例として、認証サーバ機能（Ａｕｔｈｅｎｔｉｃａｔｉｏｎ  Ｓｅｒｖｅｒ  Ｆｕｎｃｔｉｏｎ：ＡＵＳＦ）であり、さらに別の例として、ユーザプレーン機能（Ｕｓｅｒ  Ｐｌａｎｅ  Ｆｕｎｃｔｉｏｎ：ＵＰＦ）であってもよい。
【００８１】
図１は、１つの基地局、１つのコアネットワークデバイス、及び２つの端末デバイスを例示的に示し、選択的に、この無線通信システム１００は、複数の基地局デバイスを含んでもよく、各基地局は、カバレッジ内に他の数の端末デバイスを含んでもよく、本発明の実施例はこれを限定しない。
【００８２】
選択的に、この無線通信システム１００は、セッション管理機能（Ｓｅｓｓｉｏｎ  Ｍａｎａｇｅｍｅｎｔ  Ｆｕｎｃｔｉｏｎ：ＳＭＦ）、統合データ管理（Ｕｎｉｆｉｅｄ  Ｄａｔａ  Ｍａｎａｇｅｍｅｎｔ：ＵＤＭ）、認証サーバ機能（Ａｕｔｈｅｎｔｉｃａｔｉｏｎ  Ｓｅｒｖｅｒ  Ｆｕｎｃｔｉｏｎ：ＡＵＳＦ）等の他のネットワークエンティティをさらに含んでもよく、本発明の実施例はこれを限定しない。
【００８３】
本明細書における用語「システム」及び「ネットワーク」は、本明細書で交換可能に使用されることが多いことを理解されたい。本明細書における用語「及び／又は」は、関連付けられたオブジェクトを説明する関連関係に過ぎず、３つの関係が存在できることを表し、例えば、Ａ及び／又はＢは、Ａが単独で存在する、Ａ及びＢが同時に存在する、及びＢが単独で存在するという３つの場合を表すことができる。また、本明細書における符号「／」は一般的に、前後の関連オブジェクトが「又は」の関係であることを表す。
【００８４】
また、本発明の実施例における端末デバイスは、スタンドアロン（ＳＡ）でライセンスネットワーク及び／又はアンライセンスネットワークにアクセスしてもよいことを理解されたい。本発明の幾つかの実施例では、端末デバイスは、アクセスネットワークデバイス（ｇＮＢ）を介してライセンスネットワークにアクセスし、ルーティングデバイスを介してアンライセンスネットワークにアクセスし、端末デバイスは、サービスの一部又は全てをライセンスバンドに転送してもよく、サービスの一部又は全てをアンライセンスバンドに転送してもよい。
【００８５】
図２は、本発明の実施例に係るランダムアクセス方法２００の概略フローチャートを示し、この方法２００は端末デバイスにより実行されてもよい。図２に示す端末デバイスは、図１に示す端末デバイスであってもよい。この方法２００は、以下の内容の一部又は全てを含む。
【００８６】
２１０：端末デバイスがＬＢＴの方式によってターゲットアップリンクＢＷＰを決定する。
【００８７】
２２０：前記端末デバイスが前記ターゲットアップリンクＢＷＰでランダムアクセスプロセスを開始する。
【００８８】
本発明の実施例に係る方法はアンライセンスバンドに適用され、端末は、アンライセンススペクトル上でデータを伝送するために、例えば、リッスンビフォアトーク（Ｌｉｓｔｅｎ  Ｂｅｆｏｒｅ  Ｔａｌｋ：ＬＢＴ）のような幾つかのアンライセンススペクトル仕様の要件を満たす必要があり、即ち、端末又はネットワークは、データを伝送する前にチャネルをリッスンする必要があり、検出されたエネルギーが特定の閾値より低い場合、端末がこのチャネル上でデータを伝送できると見なすことを理解されたい。
【００８９】
本発明の実施例において、端末デバイスは、ＬＢＴの方式によってターゲットアップリンクＢＷＰを決定し、前記ターゲットアップリンクＢＷＰでランダムアクセスプロセスを開始し、これにより、アンライセンスバンドでのアクセスを実現することができる。
【００９０】
本発明の幾つかの実施例では、前記端末デバイスは、接続状態にある端末デバイスであってもよい。
【００９１】
本発明の幾つかの実施例では、前記ネットワークデバイスは、前記端末デバイスに少なくとも１つのアップリンクＢＷＰ（帯域幅部分）及び少なくとも１つのダウンリンクＢＷＰを構成することができる。例えば、前記ネットワークデバイスは、前記端末デバイスに最大４つのアップリンクＢＷＰ（帯域幅部分）及び最大４つのダウンリンクＢＷＰを構成することができる。
【００９２】
例えば、前記端末デバイスには、インデックス（ｉｎｄｅｘ）がそれぞれ０、１、２、３である４つのアップリンクＢＷＰ及びインデックス（ｉｎｄｅｘ）がそれぞれ０、１、２、３である４つのダウンリンクＢＷＰが構成されてもよい。
【００９３】
本発明の幾つかの実施例では、最大１つのアクティブ化されたダウンリンクＢＷＰ及び１つのアクティブ化されたアップリンクＢＷＰのみが同時に存在することができる。
【００９４】
本発明の幾つかの実施例では、前記端末デバイスのアップリンクＢＷＰとダウンリンクＢＷＰとの間には、明示的な対応（ａｓｓｏｃｉａｔｉｏｎ）関係がなくてもよい。例えば、ＦＤＤシステムにおける前記端末デバイスであってもよい。
【００９５】
本発明の幾つかの実施例では、前記端末デバイスの現在アクティブ化されているアップリンクＢＷＰは、ネットワークデバイスにより構成されたいずれかのアップリンクＢＷＰであってもよい。前記端末デバイスの現在アクティブ化されているダウンリンクＢＷＰは、ネットワークデバイスにより構成されたいずれかのダウンリンクＢＷＰであってもよい。例えば、現在アクティブ化されているアップリンク（ＵＬ）ＢＷＰ  ｉｎｄｅｘは０であってもよく、現在アクティブ化されているダウンリンクＢＷＰ  ｉｎｄｅｘは１であってもよい。
【００９６】
本発明の幾つかの実施例では、前記端末デバイスは、現在アクティブ化されているアップリンクＢＷＰでランダムアクセスプロセスを開始することができる。
【００９７】
本発明の幾つかの実施例では、前記ネットワークデバイスは、ダウンリンク制御シグナリング（ＤＣＩ）を通じて、アップリンクＢＷＰ又はダウンリンクＢＷＰをアクティブ化又は非アクティブ化するように前記端末デバイスに指示することができる。
【００９８】
本発明の幾つかの実施例では、ダウンリンク制御シグナリング（ＤＣＩ）を通じて、現在アクティブ化されているダウンリンクＢＷＰを別のＢＷＰに切り替えることができる。例えば、現在アクティブ化されているインデックスが１であるダウンリンク（ＤＬ）ＢＷＰからインデックスが２であるＤＬ  ＢＷＰに切り替え、ＵＬ  ＢＷＰはそのまま保持することができる。
【００９９】
選択的に、本発明の幾つかの実施例では、前記端末デバイスは、前記ターゲットアップリンクＢＷＰで競合ランダムアクセスプロセスを開始する。
【０１００】
言い換えると、前記ターゲットアップリンクＢＷＰには競合ランダムアクセスリソースが構成されており、端末デバイスは、ネットワークデバイスにより構成された競合ランダムアクセスリソース上でランダムアクセスプロセスを開始することができる。
【０１０１】
本発明の幾つかの実施例では、ネットワークデバイスが競合ランダムアクセスリソースを構成する際に、ネットワークデバイスは、端末が現在アクティブ化されているアップリンクＢＷＰでランダムアクセスを開始するように、任意のアップリンクＢＷＰに共通のＰＲＡＣＨリソースを構成することができる。
【０１０２】
前記端末デバイスに４つのアップリンクＢＷＰが構成されていることを例として、４つのアップリンクＢＷＰのそれぞれに共通の（ｃｏｍｍｏｎ）ＰＲＡＣＨリソースが構成されてもよい。現在アクティブ化されているアップリンクＢＷＰにｃｏｍｍｏｎ  ＰＲＡＣＨリソースが構成されている場合、端末デバイスは、競合ランダムアクセスプロセスを開始する際に、現在アクティブ化されているアップリンクＢＷＰでランダムアクセスを開始することができる。
【０１０３】
本発明の実施例において、アンライセンスバンド（ｌｉｃｅｎｓｅｄ  ｂａｎｄ）上のランダムアクセスチャネル（Ｐｈｙｓｉｃａｌ  Ｒａｎｄｏｍ  Ａｃｃｅｓｓ  Ｃｈａｎｎｅｌ：ＲＡＣＨ）の場合、複数のユーザ機器（Ｕｓｅｒ  Ｅｑｕｉｐｍｅｎｔ：ＵＥ）に共通の物理ランダムアクセスチャネル（Ｐｈｙｓｉｃａｌ  Ｒａｎｄｏｍ  Ａｃｃｅｓｓ  Ｃｈａｎｎｅｌ：ＰＲＡＣＨ）リソースが構成されている。したがって、異なるＵＥが同じＰＲＡＣＨリソース上で競合ランダムアクセスを行って、ランダムアクセスに衝突が発生する可能性がある。
【０１０４】
本発明の幾つかの実施例では、前記端末デバイスに衝突が発生した場合、ネットワークデバイスは、メッセージ２（ｍｓｇ２）のランダムアクセス応答（ＲＡＲ）において１つのバックオフ指示（ＢＩ）値を送信することができ、衝突が発生した前記端末デバイスは、このＢＩ値に基づいて１つのバックオフ（ｂａｃｋ  ｏｆｆ）乱数を生成し、さらに次のＰＲＡＣＨリソースが到着すると、バックオフ（ｂａｃｋ  ｏｆｆ）乱数の時間遅延に従ってｍｓｇ１を送信することができ、これにより、送信に衝突が発生する確率をある程度軽減する。
【０１０５】
本発明の幾つかの実施例では、前記端末デバイスは、ランダムアクセスを開始した後、現在アクティブ化されているダウンリンクＢＷＰでＲＡＲを受信することができる。
【０１０６】
本発明の実施例において、アップリンクＢＷＰとダウンリンクＢＷＰとの間に対応関係がない場合、前記端末デバイスが現在アクティブ化されているアップリンクＢＷＰ（このアップリンクＢＷＰにｃｏｍｍｏｎ  ＰＲＡＣＨリソースが構成されていることを前提とする）で競合ランダムアクセスを開始すると、ネットワークデバイスは、どのＵＥが競合ランダムアクセスを開始したかを知らないため、ネットワークデバイスは、受信したｍｓｇ１が対応する周波数領域位置上のどのアップリンクＢＷＰであるかを知らない。
【０１０７】
この場合、前記ネットワークデバイスがランダムアクセス応答（ＲＡＲ）を送信する際に、前記ネットワークデバイスは、まずｍｓｇ１の周波数領域位置にあるどのＵＥにアップリンクＢＷＰが構成されているかを決定し、これらのＵＥの現在アクティブ化されているダウンリンクＢＷＰを決定し、次に全てのアクティブ化されたダウンリンクＢＷＰでＲＡＲを送信することができ、このようにしてこそ、ＵＥがＲＡＲを受信できることを確保することができる。
【０１０８】
しかしながら、上記の技術案を採用すると、ネットワークデバイスが送信するＲＡＲが多すぎて、リソース使用率が低下する。
【０１０９】
選択的に、本発明の幾つかの実施例では、前記端末デバイスは、現在アクティブ化されているダウンリンクＢＷＰを、前記ターゲットアップリンクＢＷＰと同じインデックスを有するダウンリンクＢＷＰに切り替える。
【０１１０】
したがって、ネットワークデバイスは、まずｍｓｇ１の周波数領域位置にあるどのＵＥにアップリンクＢＷＰが構成されているかを決定し、これらのＵＥの現在アクティブ化されているダウンリンクＢＷＰを決定することができ、次にターゲットアップリンクＢＷＰと同じインデックスを有するダウンリンクＢＷＰでＲＡＲを送信するだけでよく、これにより、全てのダウンリンクＢＷＰでＲＡＲを送信することを回避し、リソースの使用率を効果的に節約する。
【０１１１】
以下、端末デバイスが前記ターゲットアップリンクＢＷＰで競合ランダムアクセスプロセスを開始したときに、前記端末デバイスが前記ターゲットＢＷＰを決定する特定の実現形態について説明する。
【０１１２】
選択的に、本発明の幾つかの実施例では、前記端末デバイスは、現在アクティブ化されている第１のアップリンクＢＷＰでＬＢＴを実行して成功した場合、前記第１のアップリンクＢＷＰを前記ターゲットＢＷＰとして決定し、前記第１のＢＷＰには競合ベースランダムアクセスリソースが構成され、及び／又は前記第１のＢＷＰには非競合ベースランダムアクセスリソースが構成されている。本発明の実施例において、前記非競合ベースランダムアクセスリソースは、非競合ベースランダムアクセスプロセスを行うために使用される前記端末デバイスの専用（Ｄｅｄｉｃａｔｅｄ）ＰＲＡＣＨリソースである。また、競合ベースランダムアクセスリソースは、競合ベースランダムアクセスプロセスを行うために使用される共通の（Ｃｏｍｍｏｎ）ＰＲＡＣＨリソースである。
【０１１３】
アンライセンスバンドでランダムアクセスを実行し、端末が現在アクティブ化されている帯域幅部分（Ｂａｎｄｗｉｄｔｈ  Ｐａｒｔ：ＢＷＰ）でランダムアクセスを開始した場合（現在アクティブ化されているターゲットアップリンクＢＷＰにランダムアクセスリソースが構成されている場合）、端末はまずＬＢＴを実行する必要があり、ＬＢＴが成功すると、端末は現在アクティブ化されているＢＷＰでランダムアクセスを開始することができるが、現在アクティブ化されているターゲットアップリンクＢＷＰチャネルが常にビジー（例えば、他のシステムにより占有されている）であると、ランダムアクセスプロセスは失敗する。
【０１１４】
したがって、本発明の実施例は、ランダムアクセスの成功確率を確保するための新しいメカニズムを提供する。
【０１１５】
選択的に、本発明の幾つかの実施例では、前記端末デバイスは、現在アクティブ化されている第１のアップリンクＢＷＰでＬＢＴを実行して失敗した場合、現在アクティブ化されているアップリンクＢＷＰを前記第１のアップリンクＢＷＰからネットワークデバイスにより構成されたアップリンクＢＷＰである第２のアップリンクＢＷＰに切り替え、前記端末デバイスは、前記第２のＢＷＰでＬＢＴを実行して成功した場合、前記第２のＢＷＰを前記ターゲットＢＷＰとして決定する。
【０１１６】
選択的に、本発明の幾つかの実施例では、前記第２のアップリンクＢＷＰには競合ランダムアクセスリソースが構成されている。
【０１１７】
選択的に、本発明の幾つかの実施例では、前記端末デバイスは、現在アクティブ化されている第１のアップリンクＢＷＰでＬＢＴを実行し、且つ失敗回数が第１の閾値以上の場合、現在アクティブ化されているアップリンクＢＷＰを前記第１のアップリンクＢＷＰから前記第２のアップリンクＢＷＰに切り替える。
【０１１８】
選択的に、本発明の幾つかの実施例では、前記第１の閾値は予め設定された閾値であるか、又は前記第１の閾値は前記ネットワークデバイスにより構成された閾値である。
【０１１９】
選択的に、本発明の幾つかの実施例では、前記端末デバイスは、現在アクティブ化されている第１のアップリンクＢＷＰでＬＢＴを実行して失敗し、且つバックオフ期間が第２の閾値以上の場合、現在アクティブ化されているアップリンクＢＷＰを前記第１のアップリンクＢＷＰから第２のアップリンクＢＷＰに切り替える。
【０１２０】
選択的に、本発明の幾つかの実施例では、前記第２の閾値は予め設定された閾値であるか、又は前記第２の閾値は前記ネットワークデバイスにより構成された閾値である。
【０１２１】
選択的に、本発明の幾つかの実施例では、前記端末デバイスは、前記ネットワークデバイスにより構成された少なくとも１つのアップリンクＢＷＰでＬＢＴを実行し、前記少なくとも１つのアップリンクＢＷＰには現在アクティブ化されている第１のアップリンクＢＷＰが含まれ、前記端末デバイスは、ＬＢＴの実行に成功したアップリンクＢＷＰの中から前記ターゲットアップリンクＢＷＰを決定する。
【０１２２】
選択的に、本発明の幾つかの実施例では、前記少なくとも１つのアップリンクＢＷＰの各アップリンクＢＷＰには、競合ランダムアクセスリソースが構成されている。
【０１２３】
選択的に、本発明の幾つかの実施例では、前記端末デバイスは、前記ＬＢＴの実行に成功したアップリンクＢＷＰに前記第１のアップリンクＢＷＰが含まれると決定した場合、前記第１のアップリンクＢＷＰを前記ターゲットアップリンクＢＷＰとして決定する。
【０１２４】
選択的に、本発明の幾つかの実施例では、前記端末デバイスは、前記ＬＢＴの実行に成功したアップリンクＢＷＰに前記第１のアップリンクＢＷＰが含まれないと決定した場合、前記ＬＢＴの実行に成功したアップリンクＢＷＰの中から１つのアップリンクＢＷＰをランダムに選択して前記ターゲットＢＷＰとして決定する。
【０１２５】
選択的に、本発明の幾つかの実施例では、前記端末デバイスは、前記少なくとも１つのアップリンクＢＷＰでＬＢＴを実行していずれも失敗したと決定した場合、前記少なくとも１つのアップリンクＢＷＰにＬＢＴの実行に成功したアップリンクＢＷＰが含まれるまで、前記少なくとも１つのアップリンクＢＷＰでＬＢＴを実行し続ける。
【０１２６】
選択的に、本発明の幾つかの実施例では、前記端末デバイスは、前記ターゲットアップリンクＢＷＰで非競合ランダムアクセスプロセスを開始する。
【０１２７】
以下、端末デバイスが前記ターゲットアップリンクＢＷＰで非競合ランダムアクセスプロセスを開始する実現形態について説明する。
【０１２８】
選択的に、本発明の幾つかの実施例では、前記端末デバイスは、前記ネットワークデバイスにより送信された指示情報を受信し、前記指示情報は、前記端末デバイスが非競合ランダムアクセスプロセスを開始するときに使用するＰＲＡＣＨリソースを指示するために使用され、ここで、前記端末デバイスは、前記ＰＲＡＣＨリソースが位置するアップリンクＢＷＰでＬＢＴを実行して成功した場合、前記ＰＲＡＣＨリソースが位置するアップリンクＢＷＰを前記ターゲットアップリンクＢＷＰとして決定する。
【０１２９】
選択的に、本発明の幾つかの実施例では、前記端末デバイスは、前記ネットワークデバイスにより送信された物理ダウンリンク制御チャネル（Ｐｈｙｓｉｃａｌ  Ｄｏｗｎｌｉｎｋ  Ｃｏｎｔｒｏｌ  Ｃｈａｎｎｅｌ：ＰＤＣＣＨ）シグナリングを受信し、前記ＰＤＣＣＨシグナリングには前記指示情報が含まれる。
【０１３０】
選択的に、本発明の幾つかの実施例では、前記端末デバイスは、前記ネットワークデバイスにより送信された無線リソース制御（Ｒａｄｉｏ  Ｒｅｓｏｕｒｃｅ  Ｃｏｎｔｒｏｌ：ＲＲＣ）シグナリングを受信し、前記ＲＲＣシグナリングには前記指示情報が含まれる。
【０１３１】
選択的に、本発明の幾つかの実施例では、前記端末デバイスは、前記ネットワークデバイスにより送信された媒体アクセス制御（Ｍｅｄｉａ  Ａｃｃｅｓｓ  Ｃｏｎｔｒｏｌ：ＭＡＣ）制御要素（ＣＥ）を受信し、前記ＭＡＣ  ＣＥには前記指示情報が含まれる。
【０１３２】
以上、本発明の好ましい実施形態を図面と併せて詳細に説明しているが、本発明は、上記の実施形態における特定の詳細に限定されず、本発明の技術的思想の範囲内で、本発明の技術案に対して様々な単純な変形を行うことができ、これらの単純な変形は、いずれも本発明の保護範囲に属する。
【０１３３】
例えば、上記の特定の実施形態で説明される各特定の技術的特徴は、矛盾することなく任意の適切な方法で組み合わせることができ、不必要な繰り返しを回避するために、本発明では、様々な可能な組み合わせ方式を個別に説明しない。
【０１３４】
別の例として、本発明の様々な異なる実施形態も、本発明の思想に違反しない限り、任意に組み合わせることができ、これらも同様に、本発明に開示される内容と見なすべきである。
【０１３５】
本発明の様々な方法の実施例では、上記の各プロセスの番号の大きさは、実行する前後順序を意味するものではなく、各プロセスの実行順序は、その機能及び内部論理により決定されるべきであり、本発明の実施例に係る実施プロセスに対するいかなる限定も構成すべきではないことを理解されたい。
【０１３６】
以上、端末デバイスの観点から、本発明の実施例に係るランダムアクセス方法を図２と併せて詳細に説明しており、以下では、ネットワークデバイスが端末デバイスに応答する観点から、本発明の実施例に係るランダムアクセス方法を図３と併せて説明する。図３は、本発明の実施例に係るランダムアクセス方法３００の概略フローチャートを示す。この方法３００は、図１に示すネットワークデバイスにより実行されてもよい。図３に示すように、この方法３００は、下記のステップを含む。
【０１３７】
３１０：ネットワークデバイスがリッスンビフォアトーク（ＬＢＴ）の方式によってターゲットダウンリンク帯域幅部分（ＢＷＰ）を決定する。
【０１３８】
３２０：前記ネットワークデバイスが前記ターゲットアップリンクＢＷＰで前記端末デバイスにより開始されたランダムアクセスプロセスに応答する。
【０１３９】
選択的に、本発明の幾つかの実施例では、前記ネットワークデバイスは、ターゲットアップリンクＢＷＰと同じインデックスを有するダウンリンクＢＷＰを前記ターゲットダウンリンクＢＷＰとして決定し、前記ターゲットアップリンクＢＷＰは、ランダムアクセスプロセスを開始するために前記端末デバイスにより使用されるアップリンクＢＷＰである。
【０１４０】
選択的に、本発明の幾つかの実施例では、前記ネットワークデバイスは、前記ターゲットアップリンクＢＷＰで前記端末デバイスにより開始された競合ランダムアクセスプロセスに応答する。
【０１４１】
選択的に、本発明の幾つかの実施例では、前記ネットワークデバイスは、前記ターゲットアップリンクＢＷＰで前記端末デバイスにより開始された非競合ランダムアクセスプロセスに応答する。
【０１４２】
選択的に、本発明の幾つかの実施例では、前記ネットワークデバイスがリッスンビフォアトーク（ＬＢＴ）の方式によってターゲットダウンリンク帯域幅部分（ＢＷＰ）を決定する前に、前記ネットワークデバイスは、前記端末デバイスに指示情報を送信し、前記指示情報は、前記端末デバイスが非競合ランダムアクセスプロセスを開始するときに使用するＰＲＡＣＨリソースを指示するために使用され、ここで、前記ターゲットアップリンクＢＷＰは前記ＰＲＡＣＨリソースが位置するアップリンクＢＷＰである。
【０１４３】
選択的に、本発明の幾つかの実施例では、前記ネットワークデバイスは、前記端末デバイスに物理ダウンリンク制御チャネル（ＰＤＣＣＨ）シグナリングを送信し、前記ＰＤＣＣＨシグナリングには前記指示情報が含まれる。
【０１４４】
選択的に、本発明の幾つかの実施例では、前記ネットワークデバイスは、前記端末デバイスに無線リソース制御（ＲＲＣ）シグナリングを送信し、前記ＲＲＣシグナリングには前記指示情報が含まれる。
【０１４５】
選択的に、本発明の幾つかの実施例では、前記ネットワークデバイスは、前記端末デバイスに媒体アクセス制御（ＭＡＣ）制御要素（ＣＥ）を送信し、前記ＭＡＣ  ＣＥには前記指示情報が含まれる。
【０１４６】
ネットワークデバイスが端末デバイスに応答するランダムアクセス方法３００のステップは、端末デバイスにより開始されるランダムアクセス方法２００の対応するステップを参照でき、簡潔にするため、ここで詳細な説明を省略することを理解されたい。
【０１４７】
以上、本発明の方法の実施例を図２から図３と併せて詳細に説明しており、以下では、本発明の装置の実施例を図４から図７と併せて詳細に説明する。
【０１４８】
図４は、本発明の実施例に係る端末デバイス４００の概略ブロック図であり、前記端末デバイスはアンライセンスバンドに適用される。具体的に、図４に示すように、この端末デバイス４００は、
リッスンビフォアトーク（ＬＢＴ）の方式によってターゲットアップリンク帯域幅部分（ＢＷＰ）を決定するための決定ユニット４１０と、
前記ターゲットアップリンクＢＷＰでランダムアクセスプロセスを開始するためのアクセスユニット４２０と、を備えてもよい。
【０１４９】
選択的に、本発明の幾つかの実施例では、前記端末デバイスは、
現在アクティブ化されているダウンリンクＢＷＰを、前記ターゲットアップリンクＢＷＰと同じインデックスを有するダウンリンクＢＷＰに切り替えるための切り替えユニットをさらに備える。
【０１５０】
選択的に、本発明の幾つかの実施例では、前記決定ユニット４１０は具体的に、
現在アクティブ化されている第１のアップリンクＢＷＰでＬＢＴを実行して成功した場合、前記第１のアップリンクＢＷＰを前記ターゲットＢＷＰとして決定するために使用され、前記第１のＢＷＰには競合ベースランダムアクセスリソースが構成され、及び／又は前記第１のＢＷＰには非競合ベースランダムアクセスリソースが構成されている。
【０１５１】
選択的に、本発明の幾つかの実施例では、前記アクセスユニット４２０は具体的に、
前記ターゲットアップリンクＢＷＰで競合ベースランダムアクセスプロセスを開始するために使用される。
【０１５２】
選択的に、本発明の幾つかの実施例では、前記決定ユニット４１０はより具体的に、
現在アクティブ化されている第１のアップリンクＢＷＰでＬＢＴを実行して失敗した場合、現在アクティブ化されているアップリンクＢＷＰを前記第１のアップリンクＢＷＰからネットワークデバイスにより構成されたアップリンクＢＷＰである第２のアップリンクＢＷＰに切り替え、
前記第２のＢＷＰでＬＢＴを実行して成功した場合、前記第２のＢＷＰを前記ターゲットＢＷＰとして決定するために使用される。
【０１５３】
選択的に、本発明の幾つかの実施例では、前記第２のアップリンクＢＷＰには競合ベースランダムアクセスリソースが構成されている。
【０１５４】
選択的に、本発明の幾つかの実施例では、前記決定ユニット４１０はより具体的に、
現在アクティブ化されている第１のアップリンクＢＷＰでＬＢＴを実行し、且つ失敗回数が第１の閾値以上の場合、現在アクティブ化されているアップリンクＢＷＰを前記第１のアップリンクＢＷＰから前記第２のアップリンクＢＷＰに切り替えるために使用される。
【０１５５】
選択的に、本発明の幾つかの実施例では、前記第１の閾値は予め設定された閾値であるか、又は前記第１の閾値は前記ネットワークデバイスにより構成された閾値である。
【０１５６】
選択的に、本発明の幾つかの実施例では、前記決定ユニット４１０はより具体的に、
現在アクティブ化されている第１のアップリンクＢＷＰでＬＢＴを実行して失敗し、且つバックオフ期間が第２の閾値以上の場合、現在アクティブ化されているアップリンクＢＷＰを前記第１のアップリンクＢＷＰから第２のアップリンクＢＷＰに切り替えるために使用される。
【０１５７】
選択的に、本発明の幾つかの実施例では、前記第２の閾値は予め設定された閾値であるか、又は前記第２の閾値は前記ネットワークデバイスにより構成された閾値である。
【０１５８】
選択的に、本発明の幾つかの実施例では、前記決定ユニット４１０はより具体的に、
前記ネットワークデバイスにより構成された少なくとも１つのアップリンクＢＷＰでＬＢＴを実行し、
ＬＢＴの実行に成功したアップリンクＢＷＰの中から前記ターゲットアップリンクＢＷＰを決定するために使用され、
前記少なくとも１つのアップリンクＢＷＰには現在アクティブ化されている第１のアップリンクＢＷＰが含まれる。
【０１５９】
選択的に、本発明の幾つかの実施例では、前記少なくとも１つのアップリンクＢＷＰの各アップリンクＢＷＰには、競合ベースランダムアクセスリソースが構成されている。
【０１６０】
選択的に、本発明の幾つかの実施例では、前記決定ユニット４１０はより具体的に、
前記ＬＢＴの実行に成功したアップリンクＢＷＰに前記第１のアップリンクＢＷＰが含まれると決定した場合、前記第１のアップリンクＢＷＰを前記ターゲットアップリンクＢＷＰとして決定するために使用される。
【０１６１】
選択的に、本発明の幾つかの実施例では、前記決定ユニット４１０はより具体的に、
前記ＬＢＴの実行に成功したアップリンクＢＷＰに前記第１のアップリンクＢＷＰが含まれないと決定した場合、前記ＬＢＴの実行に成功したアップリンクＢＷＰの中から１つのアップリンクＢＷＰをランダムに選択して前記ターゲットＢＷＰとして決定するために使用される。
【０１６２】
選択的に、本発明の幾つかの実施例では、前記決定ユニット４１０はさらに、
前記少なくとも１つのアップリンクＢＷＰでＬＢＴを実行していずれも失敗したと決定した場合、前記少なくとも１つのアップリンクＢＷＰにＬＢＴの実行に成功したアップリンクＢＷＰが含まれるまで、前記少なくとも１つのアップリンクＢＷＰでＬＢＴを実行し続けるために使用される。
【０１６３】
選択的に、本発明の幾つかの実施例では、前記アクセスユニット４２０は具体的に、
前記ターゲットアップリンクＢＷＰで非競合ベースランダムアクセスプロセスを開始するために使用される。
【０１６４】
選択的に、本発明の幾つかの実施例では、前記端末デバイスは、送受信ユニットをさらに備え、
前記決定ユニット４１０がリッスンビフォアトーク（ＬＢＴ）の方式によってターゲットアップリンク帯域幅部分（ＢＷＰ）を決定する前に、前記送受信ユニットは、前記ネットワークデバイスにより送信された指示情報を受信するために使用され、前記指示情報は、前記端末デバイスが非競合ランダムアクセスプロセスを開始するときに使用するＰＲＡＣＨリソースを指示するために使用され、前記決定ユニット４１０は具体的に、
前記ＰＲＡＣＨリソースが位置するアップリンクＢＷＰでＬＢＴを実行して成功した場合、前記ＰＲＡＣＨリソースが位置するアップリンクＢＷＰを前記ターゲットアップリンクＢＷＰとして決定するために使用される。
【０１６５】
選択的に、本発明の幾つかの実施例では、前記送受信ユニットは具体的に、
前記ネットワークデバイスにより送信された物理ダウンリンク制御チャネル（ＰＤＣＣＨ）シグナリングを受信するために使用され、前記ＰＤＣＣＨシグナリングには前記指示情報が含まれる。
【０１６６】
選択的に、本発明の幾つかの実施例では、前記送受信ユニットは具体的に、
前記ネットワークデバイスにより送信された無線リソース制御（ＲＲＣ）シグナリングを受信するために使用され、前記ＲＲＣシグナリングには前記指示情報が含まれる。
【０１６７】
選択的に、本発明の幾つかの実施例では、前記送受信ユニットは具体的に、
前記ネットワークデバイスにより送信された媒体アクセス制御（ＭＡＣ）制御要素（ＣＥ）を受信するために使用され、前記ＭＡＣ  ＣＥには前記指示情報が含まれる。
【０１６８】
装置の実施例と方法の実施例は互いに対応することができ、同様の説明は方法の実施例を参照できることを理解されたい。具体的に、図４に示す端末デバイス４００は、本発明の実施例に係る方法２００を実行する対応する主体に対応することができ、端末デバイス４００内の各ユニットの前述及び他の操作及び／又は機能はそれぞれ、図１の各方法における対応するフローを実現するために使用され、簡潔にするため、ここで詳細な説明を省略する。
【０１６９】
図５は、本発明の実施例に係るネットワークデバイスの概略ブロック図である。選択的に、前記ネットワークデバイスはアンライセンスバンドに適用される。具体的に、図５に示すように、前記ネットワークデバイス５００は、
リッスンビフォアトーク（ＬＢＴ）の方式によってターゲットダウンリンク帯域幅部分（ＢＷＰ）を決定するための決定ユニット５１０と、
前記ターゲットアップリンクＢＷＰで前記端末デバイスにより開始されたランダムアクセスプロセスに応答するための応答ユニット５２０と、を備えてもよい。
【０１７０】
選択的に、本発明の幾つかの実施例では、前記決定ユニット５１０は具体的に、
ターゲットアップリンクＢＷＰと同じインデックスを有するダウンリンクＢＷＰを前記ターゲットダウンリンクＢＷＰとして決定するために使用され、前記ターゲットアップリンクＢＷＰは、ランダムアクセスプロセスを開始するために前記端末デバイスにより使用されるアップリンクＢＷＰである。
【０１７１】
選択的に、本発明の幾つかの実施例では、前記応答ユニット５２０は具体的に、
前記ターゲットアップリンクＢＷＰで前記端末デバイスにより開始された競合ランダムアクセスプロセスに応答するために使用される。
【０１７２】
選択的に、本発明の幾つかの実施例では、前記応答ユニット５２０は具体的に、
前記ターゲットアップリンクＢＷＰで前記端末デバイスにより開始された非競合ランダムアクセスプロセスに応答するために使用される。
【０１７３】
選択的に、本発明の幾つかの実施例では、前記ネットワークデバイスは、送受信ユニットをさらに備え、
前記決定ユニット５１０がリッスンビフォアトーク（ＬＢＴ）の方式によってターゲットダウンリンク帯域幅部分（ＢＷＰ）を決定する前に、前記送受信ユニットは、前記端末デバイスに指示情報を送信するために使用され、前記指示情報は、前記端末デバイスが非競合ランダムアクセスプロセスを開始するときに使用するＰＲＡＣＨリソースを指示するために使用され、
ここで、前記ターゲットアップリンクＢＷＰは前記ＰＲＡＣＨリソースが位置するアップリンクＢＷＰである。
【０１７４】
選択的に、本発明の幾つかの実施例では、前記送受信ユニットは具体的に、
前記端末デバイスに物理ダウンリンク制御チャネル（ＰＤＣＣＨ）シグナリングを送信するために使用され、前記ＰＤＣＣＨシグナリングには前記指示情報が含まれる。
【０１７５】
選択的に、本発明の幾つかの実施例では、前記送受信ユニットは具体的に、
前記端末デバイスに無線リソース制御（ＲＲＣ）シグナリングを送信するために使用され、前記ＲＲＣシグナリングには前記指示情報が含まれる。
【０１７６】
選択的に、本発明の幾つかの実施例では、前記送受信ユニットは具体的に、
前記端末デバイスに媒体アクセス制御（ＭＡＣ）制御要素（ＣＥ）を送信するために使用され、前記ＭＡＣ  ＣＥには前記指示情報が含まれる。
【０１７７】
装置の実施例と方法の実施例は互いに対応することができ、同様の説明は方法の実施例を参照できることを理解されたい。具体的に、図５に示すネットワークデバイス５００は、本発明の実施例に係る方法３００を実行する対応する主体に対応することができ、ネットワークデバイス５００内の各ユニットの前述及び他の操作及び／又は機能それぞれは、図３の各方法における対応するフローを実現するために使用され、簡潔にするため、ここで詳細な説明を省略する。
【０１７８】
以上、機能モジュールの観点から、本発明の実施例に係る通信デバイスを図４及び図５と併せて説明している。この機能モジュールは、ハードウェア形式で実現されてもよいし、ソフトウェア形式の命令で実現されてもよいし、ハードウェアとソフトウェアモジュールの組み合わせで実現されてもよいことを理解されたい。
【０１７９】
具体的に、本発明の実施例における方法の実施例の各ステップは、プロセッサー内のハードウェアの集積論理回路及び／又はソフトウェア形式の命令により完了することができ、本発明の実施例に開示された方法のステップと併せて、ハードウェアデコードプロセッサーにより実行されて完了するか、又はデコードプロセッサー内のハードウェアとソフトウェアモジュールの組み合わせにより実行されて完了するように直接具現することができる。
【０１８０】
選択的に、ソフトウェアモジュールは、ランダムアクセスメモリ、フラッシュメモリ、読み取り専用メモリ、プログラマブル読み取り専用メモリ、電気的に消去可能なプログラマブルメモリ、レジスタ等の当該技術分野の成熟した記録媒体に位置することができる。この記録媒体はメモリに位置し、プロセッサーはメモリ内の情報を読み取り、そのハードウェアと組み合わせて上記の方法の実施例におけるステップを完了する。
【０１８１】
例えば、本発明の実施例において、図４に示す決定ユニット４１０及び図５に示す決定ユニット５１０は、プロセッサーにより実現されてもよく、図４に示すアクセスユニット４２０及び図５に示す応答ユニット３２０は、送受信機により実現されてもよい。
【０１８２】
図６は、本発明の実施例に係る通信デバイス６００の概略構造図である。図６に示す通信デバイス６００はプロセッサー６１０を備え、プロセッサー６１０は、メモリからコンピュータプログラムを呼び出して実行し、本発明の実施例における方法を実行することができる。
【０１８３】
選択的に、図６に示すように、通信デバイス６００はメモリ６２０をさらに備えてもよい。このメモリ６２０は、指示情報を格納するために使用されることができ、プロセッサー６１０により実行されるコード、命令等を格納するために使用されてもよい。ここで、プロセッサー６１０は、メモリ６２０からコンピュータプログラムを呼び出して実行し、本発明の実施例における方法を実現することができる。
【０１８４】
ここで、メモリ６２０は、プロセッサー６１０から独立した１つの別個のデバイスであってもよく、又はプロセッサー６１０に統合されてもよい。
【０１８５】
選択的に、図６に示すように、通信デバイス６００は送受信機６３０をさらに備えてもよく、プロセッサー６１０は、他のデバイスと通信するようにこの送受信機６３０を制御することができ、具体的に、他のデバイスに情報又はデータを送信するか、又は他のデバイスにより送信された情報又はデータを受信することができる。
【０１８６】
ここで、送受信機６３０は送信機及び受信機を含んでもよい。送受信機６３０はアンテナをさらに備えてもよく、アンテナの数は１つ又は複数であってもよい。
【０１８７】
選択的に、この通信デバイス６００は、本発明の実施例に係るネットワークデバイスであってもよく、この通信デバイス６００は、本発明の実施例に係る各方法においてネットワークデバイスにより実現される対応するフローを実現することができる。つまり、本発明の実施例に係る通信デバイス６００は、本発明の実施例におけるネットワークデバイス５００に対応することができ、本発明の実施例に係る方法３００を実行する対応する主体に対応することができ、簡潔にするため、ここで詳細な説明を省略する。
【０１８８】
選択的に、この通信デバイス６００は、本発明の実施例に係る端末デバイスであってもよく、この通信デバイス６００は、本発明の実施例に係る各方法において端末デバイスにより実現される対応するフローを実現することができる。つまり、本発明の実施例に係る通信デバイス６００は、本発明の実施例における端末デバイス４００に対応することができ、本発明の実施例に係る方法２００を実行する対応する主体に対応することができ、簡潔にするため、ここで詳細な説明を省略する。
【０１８９】
この通信デバイス６００内の各コンポーネントは、バスシステムを介して互いに接続され、ここで、バスシステムは、データバスに加えて、電源バス、制御バス、及び状態信号バスをさらに含むことを理解されたい。
【０１９０】
本発明の実施例によれば、データ伝送方法がさらに提供され、前記方法はアンライセンスバンドに適用され、前記方法は、端末デバイスがＬＢＴによってターゲットアップリンク帯域幅部分（Ｂａｎｄｗｉｄｔｈ  Ｐａｒｔ：ＢＷＰ）を決定するステップと、前記端末デバイスが前記ターゲットアップリンクＢＷＰでターゲットリソースを使用してデータを伝送するステップと、を含む。
【０１９１】
選択的に、本発明の幾つかの実施例では、前記端末デバイスが前記ターゲットアップリンクＢＷＰでターゲットリソースを使用してデータを伝送する前に、前記端末デバイスは、ネットワークデバイスにより送信された構成情報を受信し、前記構成情報は、前記端末デバイスに前記ターゲットリソースを構成するために使用される。
【０１９２】
選択的に、本発明の幾つかの実施例では、前記端末デバイスは、ネットワークデバイスにより送信された無線リソース制御（Ｒａｄｉｏ  Ｒｅｓｏｕｒｃｅ  Ｃｏｎｔｒｏｌ：ＲＲＣ）シグナリングを受信し、前記ＲＲＣシグナリングには前記構成情報が含まれる。
【０１９３】
選択的に、本発明の幾つかの実施例では、前記方法は、前記端末デバイスがネットワークデバイスにより送信されたダウンリンク制御情報（ＤＣＩ）を受信するステップをさらに含み、前記ＤＣＩは、前記ターゲットリソースをアクティブ化するために使用される。
【０１９４】
選択的に、本発明の幾つかの実施例では、前記ＤＣＩは、非アクティブＢＷＰに構成された構成リソースをアクティブ化するために使用され、前記構成リソースには前記ターゲットリソースが含まれる。
【０１９５】
例えば、前記端末デバイスに２つのアップリンクＢＷＰ、例えばＢＷＰ１及びＢＷＰ２が構成され、且つ現在アクティブ化されているＢＷＰがＢＷＰ１であり、同時にＢＷＰ１及びＢＷＰ２上にいずれもアップリンク半静的リソースが構成されていると仮定する。このとき、前記端末デバイスは、現在アクティブ化されているダウンリンクＢＷＰで１つのＤＣＩを受信し、このＤＣＩは、ＢＷＰ１上の半静的構成リソースをアクティブ化するために使用されてもよく、（ＢＷＰ２が非アクティブ状態にある場合でも）ＢＷＰ２上の半静的構成リソースをアクティブ化するために使用されてもよい。これにより、前記端末デバイスがＢＷＰ切り替えを行うとき、つまりＢＷＰ１からＢＷＰ２に切り替えるとき、前記端末デバイスは、ＤＣＩが上記のリソースをアクティブ化することを追加的に待ってから使用することなく、ＢＷＰ２上の半静的構成リソースを直接使用することができる。
【０１９６】
選択的に、本発明の幾つかの実施例では、前記方法は、前記端末デバイスが前記ターゲットリソースをアクティブ化するステップをさらに含む。
【０１９７】
本発明の実施例によれば、データ受信方法がさらに提供され、前記方法はアンライセンスバンドに適用され、前記方法は、ネットワークデバイスがリッスンビフォアトーク（ＬＢＴ）によってターゲットアップリンク帯域幅部分（ＢＷＰ）を決定するステップと、前記ネットワークデバイスが前記ターゲットアップリンクＢＷＰでターゲットリソースを使用してデータを受信するステップと、を含む。
【０１９８】
選択的に、本発明の幾つかの実施例では、前記ネットワークデバイスが前記ターゲットアップリンクＢＷＰでターゲットリソースを使用してデータを受信する前に、前記ネットワークデバイスは、端末デバイスに前記ターゲットリソースを構成するために使用される構成情報を生成し、前記ネットワークデバイスは、前記端末デバイスに前記構成情報を送信する。
【０１９９】
選択的に、本発明の幾つかの実施例では、前記ネットワークデバイスは、前記端末デバイスに無線リソース制御（ＲＲＣ）シグナリングを送信し、前記ＲＲＣシグナリングには前記構成情報が含まれる。
【０２００】
選択的に、本発明の幾つかの実施例では、前記方法は、前記ネットワークデバイスがダウンリンク制御情報（ＤＣＩ）を生成するステップと、前記ネットワークデバイスが前記端末デバイスに前記ＤＣＩを送信するステップと、をさらに含み、前記ＤＣＩは、前記ターゲットリソースをアクティブ化するために使用される。
【０２０１】
選択的に、本発明の幾つかの実施例では、前記ＤＣＩは、非アクティブＢＷＰ上に構成された構成リソースをアクティブ化するために使用され、前記構成リソースには前記ターゲットリソースが含まれる。
【０２０２】
本発明の実施例によれば、端末デバイスがさらに提供され、前記端末デバイスはアンライセンスバンドに適用され、前記端末デバイスは、リッスンビフォアトーク（ＬＢＴ）によってターゲットアップリンク帯域幅部分（ＢＷＰ）を決定するための決定ユニットと、前記ターゲットアップリンクＢＷＰでターゲットリソースを使用してデータを伝送するための通信ユニットと、を備える。
【０２０３】
選択的に、本発明の幾つかの実施例では、前記通信ユニットが前記ターゲットアップリンクＢＷＰでターゲットリソースを使用してデータを伝送する前に、前記通信ユニットはさらに、ネットワークデバイスにより送信された構成情報を受信するために使用され、前記構成情報は、前記端末デバイスに前記ターゲットリソースを構成するために使用される。
【０２０４】
選択的に、本発明の幾つかの実施例では、前記通信ユニットは具体的に、ネットワークデバイスにより送信された無線リソース制御（ＲＲＣ）シグナリングを受信するために使用され、前記ＲＲＣシグナリングには前記構成情報が含まれる。
【０２０５】
選択的に、本発明の幾つかの実施例では、前記通信ユニットはさらに、ネットワークデバイスにより送信されたダウンリンク制御情報（ＤＣＩ）を受信するために使用され、前記ＤＣＩは、前記ターゲットリソースをアクティブ化するために使用される。
【０２０６】
選択的に、本発明の幾つかの実施例では、前記ＤＣＩは、非アクティブＢＷＰ上に構成された構成リソースをアクティブ化するために使用され、前記構成リソースには前記ターゲットリソースが含まれる。
【０２０７】
選択的に、本発明の幾つかの実施例では、前記通信ユニットはさらに、前記ターゲットリソースをアクティブ化するために使用される。
【０２０８】
本発明の実施例によれば、ネットワークデバイスがさらに提供され、前記ネットワークデバイスはアンライセンスバンドに適用され、前記ネットワークデバイスは、リッスンビフォアトーク（ＬＢＴ）によってターゲットアップリンク帯域幅部分（ＢＷＰ）を決定するための決定ユニットと、前記ターゲットアップリンクＢＷＰでターゲットリソースを使用してデータを受信するための通信ユニットと、を備える。
【０２０９】
選択的に、本発明の幾つかの実施例では、前記通信ユニットが前記ターゲットアップリンクＢＷＰでターゲットリソースを使用してデータを受信する前に、前記通信ユニットはさらに、端末デバイスに前記ターゲットリソースを構成するために使用される構成情報を生成し、前記端末デバイスに前記構成情報を送信するために使用される。
【０２１０】
選択的に、本発明の幾つかの実施例では、前記通信ユニットは具体的に、前記端末デバイスに無線リソース制御（ＲＲＣ）シグナリングを送信するために使用され、前記ＲＲＣシグナリングには前記構成情報が含まれる。
【０２１１】
選択的に、本発明の幾つかの実施例では、前記通信ユニットはさらに、前記端末デバイスにダウンリンク制御情報（ＤＣＩ）を送信するために使用され、前記ＤＣＩは、前記ターゲットリソースをアクティブ化するために使用される。
【０２１２】
選択的に、本発明の幾つかの実施例では、前記ＤＣＩは、非アクティブＢＷＰ上に構成された構成リソースをアクティブ化するために使用され、前記構成リソースには前記ターゲットリソースが含まれる。
【０２１３】
上記の決定ユニットは、プロセッサーにより実現されることができ、通信ユニットは、送受信機により実現されることができ、本発明の実施例はこれを特に限定しないことを理解されたい。
【０２１４】
さらに、本発明の実施例において、チップがさらに提供され、このチップは、信号処理能力を有する集積回路チップであってもよく、本発明の実施例において開示された各方法、ステップ及び論理ブロック図を実現又は実行することができる。
【０２１５】
選択的に、このチップは、様々な通信デバイスに適用でき、このチップが搭載された通信デバイスは、本発明の実施例において開示された各方法、ステップ及び論理ブロック図を実行することができる。
【０２１６】
図７は、本発明の実施例に係るチップの概略構造図である。図７に示すチップ７００はプロセッサー７１０を備え、プロセッサー７１０は、メモリからコンピュータプログラムを呼び出して実行し、本発明の実施例における方法を実現することができる。
【０２１７】
選択的に、図７に示すように、チップ７００はメモリ７２０をさらに備えてもよい。ここで、プロセッサー７１０は、メモリ７２０からコンピュータプログラムを呼び出して実行し、本発明の実施例における方法を実現することができる。このメモリ７２０は、指示情報を格納するために使用されてもよく、プロセッサー７１０により実行されるコード、命令等を格納するために使用されてもよい。ここで、メモリ７２０は、プロセッサー７１０から独立した１つの別個のデバイスであってもよく、又はプロセッサー７１０に統合されてもよい。
【０２１８】
選択的に、このチップ７００は入力インターフェース７３０をさらに備えてもよい。ここで、プロセッサー７１０は、他のデバイス又はチップと通信するようにこの入力インターフェース７３０を制御することができ、具体的に、他のデバイス又はチップにより送信された情報又はデータを取得することができる。
【０２１９】
選択的に、このチップ７００は出力インターフェース７４０をさらに備えてもよい。ここで、プロセッサー７１０は、他のデバイス又はチップと通信するようにこの出力インターフェース７４０を制御することができ、具体的に、他のデバイス又はチップに情報又はデータを出力することができる。
【０２２０】
選択的に、このチップは、本発明の実施例におけるネットワークデバイスに適用でき、このチップは、本発明の実施例に係る各方法においてネットワークデバイスにより実現される対応するフローを実現することができ、簡潔にするため、ここで詳細な説明を省略する。
【０２２１】
選択的に、このチップは、本発明の実施例における端末デバイスに適用でき、このチップは、本発明の実施例に係る各方法において端末デバイスにより実現される対応するフローを実現することができ、簡潔にするため、ここで詳細な説明を省略する。
【０２２２】
本発明の実施例で言及されるチップは、システムレベルチップ、システムチップ、チップシステム、又はシステムオンチップ等と呼ばれることもあることを理解されたい。また、このチップ７００内の各コンポーネントは、バスシステムを介して互いに接続され、ここで、バスシステムは、データバスに加えて、電源バス、制御バス、及び状態信号バスをさらに含むことを理解されたい。
【０２２３】
本発明の実施例で言及されるプロセッサーは、汎用プロセッサー、デジタル信号プロセッサー（ｄｉｇｉｔａｌ  ｓｉｇｎａｌ  ｐｒｏｃｅｓｓｏｒ：ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）又は他のプログラマブル論理デバイス、トランジスタ論理デバイス、個別ハードウェアコンポーネント等であってもよい。さらに、汎用プロセッサーはマイクロプロセッサーであってもよく、又は、このプロセッサーはまた、いずれかの通常のプロセッサー等であってもよい。
【０２２４】
さらに、本発明の実施例で言及されるメモリは、揮発性メモリ又は不揮発性メモリであってもよく、又は揮発性及び不揮発性メモリの両方を含んでもよい。ここで、不揮発性メモリは、読み取り専用メモリ（ｒｅａｄ−ｏｎｌｙ  ｍｅｍｏｒｙ：ＲＯＭ）、プログラマブル読み取り専用メモリ（ｐｒｏｇｒａｍｍａｂｌｅ  ＲＯＭ：ＰＲＯＭ）、消去可能なプログラマブル読み取り専用メモリ（ｅｒａｓａｂｌｅ  ＰＲＯＭ：ＥＰＲＯＭ）、電気的に消去可能なプログラマブル読み取り専用メモリ（ｅｌｅｃｔｒｉｃａｌｌｙ  ＥＰＲＯＭ：ＥＥＰＲＯＭ）又はフラッシュメモリであってもよい。揮発性メモリは、外部キャッシュとして使用されるランダムアクセスメモリ（ｒａｎｄｏｍ  ａｃｃｅｓｓ  ｍｅｍｏｒｙ：ＲＡＭ）であってもよい。
【０２２５】
上記のメモリは例示的なものであり、限定的なものではなく、例えば、本発明の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、拡張同期ダイナミックランダムアクセスメモリ（Ｅｎｈａｎｃｅｄ  ＳＤＲＡＭ：ＥＳＤＲＡＭ）、同期接続ダイナミックランダムアクセスメモリ（Ｓｙｎｃｈｌｉｎｋ  ＤＲＡＭ：ＳＬＤＲＡＭ）、及びダイレクトメモリバスランダムアクセスメモリ（Ｄｉｒｅｃｔ  Ｒａｍｂｕｓ  ＲＡＭ：ＤＲ  ＲＡＭ）等であってもよいことを理解されたい。
【０２２６】
本発明の実施例では、コンピュータプログラムを格納するためのコンピュータ読み取り可能な記録媒体がさらに提供される。
【０２２７】
選択的に、このコンピュータ読み取り可能な記録媒体は、本発明の実施例におけるネットワークデバイスに適用でき、このコンピュータプログラムは、本発明の実施例に係る各方法においてネットワークデバイスにより実現される対応するフローをコンピュータに実行させ、簡潔にするため、ここで詳細な説明を省略する。
【０２２８】
選択的に、このコンピュータ読み取り可能な記録媒体は、本発明の実施例における移動端末／端末デバイスに適用でき、このコンピュータプログラムは、本発明の実施例に係る各方法において移動端末／端末デバイスにより実現される対応するフローをコンピュータに実行させ、簡潔にするため、ここで詳細な説明を省略する。
【０２２９】
本発明の実施例では、コンピュータプログラム命令を含むコンピュータプログラム製品がさらに提供される。
【０２３０】
選択的に、このコンピュータプログラム製品は、本発明の実施例におけるネットワークデバイスに適用でき、このコンピュータプログラム命令は、本発明の実施例に係る各方法においてネットワークデバイスにより実現される対応するフローをコンピュータに実行させ、簡潔にするため、ここで詳細な説明を省略する。
【０２３１】
選択的に、このコンピュータプログラム製品は、本発明の実施例における移動端末／端末デバイスに適用でき、このコンピュータプログラム命令は、本発明の実施例に係る各方法において移動端末／端末デバイスにより実現される対応するフローをコンピュータに実行させ、簡潔にするため、ここで詳細な説明を省略する。
【０２３２】
本発明の実施例では、コンピュータプログラムがさらに提供される。
【０２３３】
選択的に、このコンピュータプログラムは、本発明の実施例におけるネットワークデバイスに適用でき、このコンピュータプログラムがコンピュータ上で実行されるとき、コンピュータは、本発明の実施例に係る各方法においてネットワークデバイスにより実現される対応するフローを実行し、簡潔にするため、ここで詳細な説明を省略する。
【０２３４】
図８は、本発明の実施例に係る通信システム８００の概略ブロック図である。図８に示すように、この通信システム８００は、端末デバイス８１０及びネットワークデバイス８２０を含む。ここで、この端末デバイス８１０は、リッスンビフォアトーク（ＬＢＴ）の方式によってターゲットアップリンク帯域幅部分（ＢＷＰ）を決定し、前記ターゲットアップリンクＢＷＰでランダムアクセスプロセスを開始するために使用される。このネットワークデバイス８２０は、リッスンビフォアトーク（ＬＢＴ）の方式によってターゲットダウンリンク帯域幅部分（ＢＷＰ）を決定し、前記ターゲットアップリンクＢＷＰで前記端末デバイスにより開始されたランダムアクセスプロセスに応答するために使用される。
【０２３５】
ここで、この端末デバイス８１０は、上記の方法２００〜３００において端末デバイスにより実現される対応する機能を実現するために使用されることができ、及びこの端末デバイス８１０の構成は、図４の端末デバイス４００に示すとおりであってもよく、簡潔にするため、ここで詳細な説明を省略する。
【０２３６】
このネットワークデバイス８２０は、上記の方法２００〜３００においてネットワークデバイスにより実現される対応する機能を実現するために使用されることができ、及びこのネットワークデバイス８２０の構成は、図５のネットワークデバイス５００に示すとおりであってもよく、簡潔にするため、ここで詳細な説明を省略する。
【０２３７】
なお、本明細書における用語「システム」等は、「ネットワーク管理アーキテクチャ」又は「ネットワークシステム」等と呼ばれることもある。
【０２３８】
また、本発明の実施例及び添付された特許請求の範囲に記載の用語は、特定の実施例を説明する目的で使用されるものに過ぎず、本発明の実施例を限定するものではないことを理解されたい。
【０２３９】
例えば、本発明の実施例及び添付された特許請求の範囲に記載の「１種類」、「前記」、「上記の」及び「当該」の単数形式は、前後の文章においてそれぞれ他の意味を含有すると明確に記載される以外には、複数の形式も含む。
【０２４０】
当業者であれば、本明細書に開示された実施例と併せて説明された各例のユニット及びアルゴリズムステップが、電子ハードウェア、又はコンピュータソフトウェア及び電子ハードウェアの組み合わせで実現できることが認識される。これらの機能がハードウェアで実行されるかソフトウェアで実行されるかは、技術案の特定のアプリケーション及び設計上の制約条件によって異なる。当業者であれば、特定の用途ごとに不同な方法を使用して記載された機能を実現できるが、このような実現が本発明の実施例の範囲を超えると考慮されるべきではない。
【０２４１】
ソフトウェア機能ユニットの形式で実現され、独立した製品として販売又は使用される場合、１つのコンピュータ読み取り可能な記録媒体に格納することができる。このような理解に基づき、本発明の実施例に係る技術案は、本質的に、又は従来技術に寄与する部分又はこの技術案の一部は、ソフトウェア製品の形式で具現されることができ、このコンピュータソフトウェア製品は、１つの記録媒体に格納され、１台のコンピュータデバイス（パーソナルコンピュータ、サーバ、又はネットワークデバイス等であってもよい）に本発明の実施例に記載の前記方法のステップの全部又は一部を実行させるための幾つかの命令を含む。前述の記録媒体には、ＵＳＢメモリ、モバイルハードディスク、読み取り専用メモリ、ランダムアクセスメモリ、磁気ディスク、又は光ディスク等のプログラムコードを格納できる様々な媒体が含まれる。
【０２４２】
当業者であれば、説明の便宜及び簡潔さのために、上記のシステム、装置、及びユニットの特定の作業プロセスについては、前述の方法の実施例における対応するプロセスを参照でき、ここで詳細な説明を省略することを理解することができる。
【０２４３】
本発明に提供された幾つかの実施例では、開示されたシステム、装置及び方法は、他の方式で実現されてもよいことを理解されたい。
【０２４４】
例えば、上記のような装置の実施例におけるユニット又はモジュール又はコンポーネントの区分は、単なる論理的な機能による区分であり、実際に実現するときは他の区分方式であってもよく、例えば、複数のユニット又はモジュール又はコンポーネントが組み合わされるか又は別のシステムに集積されてもよく、又はいは幾つかのユニット又はモジュール又はコンポーネントが省略され又は実行されなくてもよい。
【０２４５】
別の例として、上記の分離／表示部材として説明されたユニット／モジュール／コンポーネントは、物理的に分離されてもよく、物理的に分離されなくてもよく、即ち、同じところに位置してもよく、複数のネットワークユニット上に分散されてもよい。実際の需要に応じて、一部又は全部のユニット／モジュール／コンポーネントを選択し、本発明の実施例の目的を実現することができる。
【０２４６】
最後に、上記で示される、又は説明された相互結合又は直接結合又は通信接続は、幾つかのインターフェース、装置、又はユニットを介した間接結合又は通信接続であってもよく、電気的、機械的又は他の形式であってもよい。
【０２４７】
以上の内容は、本発明の実施例の特定の実施形態にすぎず、本発明の実施例の範囲はこれらに限定されない。この技術分野の当業者であれば、いずれも本発明の実施例に提示された技術範囲内で、変更又は置き換えを行うことを容易に想到し得るものがいずれも本発明の実施例の範囲に含まれる。したがって、本発明の実施例の範囲は、特許請求の範囲により示される。
【図１】
2021534617.tif 000003
【図２】
2021534617.tif 000004
【図３】
2021534617.tif 000005
【図４】
2021534617.tif 000006
【図５】
2021534617.tif 000007
【図６】
2021534617.tif 000008
【図７】
2021534617.tif 000009
【図８】
2021534617.tif 000010
【国際調査報告】
2021534617.tif 000011
2021534617.tif 000012
2021534617.tif 000013
2021534617.tif 000014